(57)【特許請求の範囲】
【請求項１】
無線デバイス（４０６）のための方法であって、
前記無線デバイス（４０６）によって、１つまたはそれを上回る二次セルの構成パラメータを含む、少なくとも１つのメッセージを受信するステップと、
アクティブ化／非アクティブ化媒体アクセス制御制御要素、Ａ／Ｄ  ＭＡＣ  ＣＥを受信するステップであって、
前記１つまたはそれを上回る二次セルの数が７またはそれ未満であり、前記１つまたはそれを上回る二次セルがそれぞれ、１〜７の値を有するセルインデックスを用いて構成される場合、前記Ａ／Ｄ  ＭＡＣ  ＣＥは、１オクテットの固定サイズであり、前記Ａ／Ｄ  ＭＡＣ  ＣＥは、第１の論理チャネル識別子、ＬＣＩＤを含む、第１のサブヘッダによって識別され、そうでなければ、前記Ａ／Ｄ  ＭＡＣ  ＣＥは、４オクテットの固定サイズであり、前記Ａ／Ｄ  ＭＡＣ  ＣＥは、前記第１のＬＣＩＤと異なる第２のＬＣＩＤを含む、第２のサブヘッダによって識別されること
を特徴とする、ステップと、
前記Ａ／Ｄ  ＭＡＣ  ＣＥに従って、前記１つまたはそれを上回る二次セル内の少なくとも１つの二次セルをアクティブ化または非アクティブ化するステップと、
を含む、方法。
【請求項２】
前記第１のＬＣＩＤおよび前記第２のＬＣＩＤはそれぞれ、５ビットの長さを有し、
前記第１のサブヘッダは、１オクテットのサイズを有し、前記第１のＬＣＩＤを含み、
前記第２のサブヘッダは、１オクテットのサイズを有し、前記第２のＬＣＩＤを含み、
前記第１のサブヘッダおよび前記第２のサブヘッダは、長さフィールドを含まない、請求項１に記載の方法。
【請求項３】
前記Ａ／Ｄ  ＭＡＣ  ＣＥ内のビットは、対応する二次セルが構成されると、対応する二次セルのアクティブ化／非アクティブ化ステータスを示す、請求項１または２に記載の方法。
【請求項４】
前記第２のＬＣＩＤは、前記１つまたはそれを上回る二次セルのうちの７つを上回るものが構成されると、採用される、請求項１〜３のいずれかに記載の方法。
【請求項５】
基地局（４０１）のための方法であって、
前記基地局（４０１）によって、無線デバイス（４０６）に、１つまたはそれを上回る二次セルの構成パラメータを含む、少なくとも１つのメッセージを伝送するステップと、
アクティブ化／非アクティブ化媒体アクセス制御制御要素、Ａ／Ｄ  ＭＡＣ  ＣＥを伝送するステップであって、
前記１つまたはそれを上回る二次セルの数が７またはそれ未満であり、前記１つまたはそれを上回る二次セルがそれぞれ、１〜７の値を有するセルインデックスを用いて構成される場合、前記Ａ／Ｄ  ＭＡＣ  ＣＥは、１オクテットの固定サイズであり、前記Ａ／Ｄ  ＭＡＣ  ＣＥは、第１の論理チャネル識別子、ＬＣＩＤを含む、第１のサブヘッダによって識別され、そうでなければ、前記Ａ／Ｄ  ＭＡＣ  ＣＥは、４オクテットの固定サイズであり、前記Ａ／Ｄ  ＭＡＣ  ＣＥは、前記第１のＬＣＩＤと異なる第２のＬＣＩＤを用いて第２のサブヘッダによって識別されること
を特徴とする、ステップと、
前記Ａ／Ｄ  ＭＡＣ  ＣＥに従って、前記１つまたはそれを上回る二次セル内の少なくとも１つの二次セルのステータスをアクティブ化または非アクティブ化するステップと、
を含む、方法。
【請求項６】
前記第１のＬＣＩＤおよび前記第２のＬＣＩＤはそれぞれ、５ビットの長さを有し、
前記第１のサブヘッダは、１オクテットのサイズを有し、前記第１のＬＣＩＤを含み、
前記第２のサブヘッダは、１オクテットのサイズを有し、前記第２のＬＣＩＤを含み、
前記第１のサブヘッダおよび前記第２のサブヘッダは、長さフィールドを含まない、請求項５に記載の方法。
【請求項７】
前記Ａ／Ｄ  ＭＡＣ  ＣＥ内のビットは、対応する二次セルが構成されると、対応する二次セルのアクティブ化／非アクティブ化ステータスを示す、請求項５または６に記載の方法。
【請求項８】
前記第２のＬＣＩＤは、前記１つまたはそれを上回る二次セルのうちの７つを上回るものが構成されると、採用される、請求項５〜７のいずれかに記載の方法。
【請求項９】
無線デバイス（４０６）であって、
１つまたはそれを上回るプロセッサと、
命令を記憶するメモリであって、前記命令は、実行されると、前記無線デバイス（４０６）に、
１つまたはそれを上回る二次セルの構成パラメータを含む、少なくとも１つのメッセージを受信するステップと、
アクティブ化／非アクティブ化媒体アクセス制御制御要素、Ａ／Ｄ  ＭＡＣ  ＣＥを受信するステップであって、
前記１つまたはそれを上回る二次セルの数が７またはそれ未満であり、前記１つまたはそれを上回る二次セルがそれぞれ、１〜７の値を有するセルインデックスを用いて構成される場合、前記Ａ／Ｄ  ＭＡＣ  ＣＥは、１オクテットの固定サイズであり、前記Ａ／Ｄ  ＭＡＣ  ＣＥは、第１の論理チャネル識別子、ＬＣＩＤを含む、第１のサブヘッダによって識別され、そうでなければ、前記Ａ／Ｄ  ＭＡＣ  ＣＥは、４オクテットの固定サイズであり、前記Ａ／Ｄ  ＭＡＣ  ＣＥは、前記第１のＬＣＩＤと異なる第２のＬＣＩＤを含む、第２のサブヘッダによって識別されること
を特徴とする、ステップと、
前記Ａ／Ｄ  ＭＡＣ  ＣＥに従って、前記１つまたはそれを上回る二次セル内の少なくとも１つの二次セルをアクティブ化または非アクティブ化するステップと、
を行わせる、メモリと、
を含む、無線デバイス。
【請求項１０】
前記第１のＬＣＩＤおよび前記第２のＬＣＩＤはそれぞれ、５ビットの長さを有し、
前記第１のサブヘッダは、１オクテットのサイズを有し、前記第１のＬＣＩＤを含み、
前記第２のサブヘッダは、１オクテットのサイズを有し、前記第２のＬＣＩＤを含み、
前記第１のサブヘッダおよび前記第２のサブヘッダは、長さフィールドを含まない、請求項９に記載の無線デバイス。
【請求項１１】
前記Ａ／Ｄ  ＭＡＣ  ＣＥ内のビットは、対応する二次セルが構成されると、対応する二次セルのアクティブ化／非アクティブ化ステータスを示す、請求項９または１０に記載の無線デバイス。
【請求項１２】
前記第２のＬＣＩＤは、前記１つまたはそれを上回る二次セルのうちの７つを上回るものが構成されると、採用される、請求項９〜１１のいずれかに記載の無線デバイス。
【請求項１３】
基地局（４０１）であって、
１つまたはそれを上回るプロセッサと、
命令を記憶するメモリであって、前記命令は、実行されると、前記基地局（４０１）に、
無線デバイスに、１つまたはそれを上回る二次セルの構成パラメータを含む、少なくとも１つのメッセージを伝送するステップと、
アクティブ化／非アクティブ化媒体アクセス制御制御要素、Ａ／Ｄ  ＭＡＣ  ＣＥを伝送するステップであって、
前記１つまたはそれを上回る二次セルの数が７またはそれ未満であり、前記１つまたはそれを上回る二次セルがそれぞれ、１〜７の値を有するセルインデックスを用いて構成される場合、前記Ａ／Ｄ  ＭＡＣ  ＣＥは、１オクテットの固定サイズであり、前記Ａ／Ｄ  ＭＡＣ  ＣＥは、第１の論理チャネル識別子、ＬＣＩＤを含む、第１のサブヘッダによって識別され、そうでなければ、前記Ａ／Ｄ  ＭＡＣ  ＣＥは、４オクテットの固定サイズであり、前記Ａ／Ｄ  ＭＡＣ  ＣＥは、前記第１のＬＣＩＤと異なる第２のＬＣＩＤを用いて第２のサブヘッダによって識別されること
を特徴とする、ステップと、
前記Ａ／Ｄ  ＭＡＣ  ＣＥに従って、前記１つまたはそれを上回る二次セル内の少なくとも１つの二次セルのステータスをアクティブ化または非アクティブ化するステップと、
を行わせる、メモリと、
を含む、基地局。
【請求項１４】
前記第１のＬＣＩＤおよび前記第２のＬＣＩＤはそれぞれ、５ビットの長さを有し、
前記第１のサブヘッダは、１オクテットのサイズを有し、前記第１のＬＣＩＤを含み、
前記第２のサブヘッダは、１オクテットのサイズを有し、前記第２のＬＣＩＤを含み、
前記第１のサブヘッダおよび前記第２のサブヘッダは、長さフィールドを含まない、請求項１３に記載の基地局。
【請求項１５】
前記第２のＬＣＩＤは、前記１つまたはそれを上回る二次セルのうちの７つを上回るものが構成されると、採用される、請求項１３または１４に記載の基地局。
【発明の詳細な説明】
【技術分野】
【０００１】
（関連出願の相互参照）
本願は、２０１５年４月１５日に出願された米国仮出願第６２／１４７，９９１号の利益を主張するものであり、該仮出願は、その全体が参照により本明細書中に援用される。
【発明の概要】
【課題を解決するための手段】
【０００２】
本発明の例示的実施形態は、無線ネットワーク内のキャリアアグリゲーションの動作をイネーブルにする。本明細書に開示される技術の実施形態は、マルチキャリア通信システムの技術分野において採用されてもよい。より具体的には、本明細書に開示される技術の実施形態は、キャリアアグリゲーションを採用する無線ネットワーク内の媒体アクセス制御の動作に関し得る。
本発明は、例えば、以下を提供する。
（項目１）
方法であって、
無線デバイスによって、１つまたはそれを上回る二次セルの構成パラメータを含む、少なくとも１つのメッセージを受信するステップと、
アクティブ化／非アクティブ化媒体アクセス制御制御要素（Ａ／Ｄ  ＭＡＣ  ＣＥ）を受信するステップであって、上記１つまたはそれを上回る二次セルのうちの最大７つがそれぞれ、１〜７の値を有するセルインデックスを用いて構成される場合、上記Ａ／Ｄ  ＭＡＣ  ＣＥは、１オクテットの固定サイズであり、上記Ａ／Ｄ  ＭＡＣ  ＣＥは、第１の論理チャネル識別子（ＬＣＩＤ）を含む、第１のサブヘッダによって識別され、そうでなければ、上記Ａ／Ｄ  ＭＡＣ  ＣＥは、４オクテットの固定サイズであり、上記Ａ／Ｄ  ＭＡＣ  ＣＥは、上記第１のＬＣＩＤと異なる第２のＬＣＩＤを含む、第２のサブヘッダによって識別される、ステップと、
上記Ａ／Ｄ  ＭＡＣ  ＣＥに従って、上記１つまたはそれを上回る二次セル内の少なくとも１つの二次セルをアクティブ化または非アクティブ化するステップと、
を含む、方法。
（項目２）   
上記第１のＬＣＩＤおよび上記第２のＬＣＩＤはそれぞれ、５ビットの長さを有し、
上記第１のサブヘッダは、１オクテットのサイズを有し、上記第１のＬＣＩＤを含み、
上記第２のサブヘッダは、１オクテットのサイズを有し、上記第２のＬＣＩＤを含み、
上記第１のサブヘッダおよび上記第２のサブヘッダは、長さフィールドを含まない、項目１に記載の方法。
（項目３）
上記Ａ／Ｄ  ＭＡＣ  ＣＥ内のビットは、対応する二次セルが構成されると、対応する二次セルのアクティブ化／非アクティブ化ステータスを示す、項目１に記載の方法。
（項目４）
上記無線デバイスは、対応する二次セルが構成されないと、上記Ａ／Ｄ  ＭＡＣ  ＣＥ内のビットを無視する、項目１に記載の方法。
（項目５）
上記Ａ／Ｄ  ＭＡＣ  ＣＥ内のビットは、上記ビットが１に設定され、対応する二次セルが構成されると、対応する二次セルがアクティブ化されたことを示す、項目１に記載の方法。
（項目６）
上記Ａ／Ｄ  ＭＡＣ  ＣＥ内のビットは、上記ビットがゼロに設定され、対応する二次セルが構成されると、対応する二次セルが非アクティブ化されたことを示す、項目１に記載の方法。
（項目７）
上記第２のＬＣＩＤは、上記１つまたはそれを上回る二次セルのうちの７つを上回るものが構成されると、採用される、項目１に記載の方法。
（項目８）
方法であって、
無線デバイスによって、１つまたはそれを上回る二次セルの構成パラメータを含む、少なくとも１つのメッセージを受信するステップと、
アクティブ化／非アクティブ化媒体アクセス制御制御要素（Ａ／Ｄ  ＭＡＣ  ＣＥ）を受信するステップであって、上記構成パラメータが第１の基準を満たす場合、上記Ａ／Ｄ  ＭＡＣ  ＣＥは、１オクテットの固定サイズであり、上記Ａ／Ｄ  ＭＡＣ  ＣＥは、第１の論理チャネル識別子（ＬＣＩＤ）を含む、第１のサブヘッダによって識別され、そうでなければ、上記Ａ／Ｄ  ＭＡＣ  ＣＥは、４オクテットの固定サイズであり、上記Ａ／Ｄ  ＭＡＣ  ＣＥは、上記第１のＬＣＩＤと異なる第２のＬＣＩＤを用いて第２のサブヘッダによって識別される、ステップと、
上記Ａ／Ｄ  ＭＡＣ  ＣＥに従って、上記１つまたはそれを上回る二次セル内の少なくとも１つの二次セルをアクティブ化または非アクティブ化するステップと、
を含む、方法。
（項目９）   
上記第１のＬＣＩＤおよび上記第２のＬＣＩＤはそれぞれ、５ビットの長さを有し、
上記第１のサブヘッダは、１オクテットのサイズを有し、上記第１のＬＣＩＤを含み、
上記第２のサブヘッダは、１オクテットのサイズを有し、上記第２のＬＣＩＤを含み、
上記第１のサブヘッダおよび上記第２のサブヘッダは、長さフィールドを含まない、項目８に記載の方法。
（項目１０）
上記Ａ／Ｄ  ＭＡＣ  ＣＥ内のビットは、対応する二次セルが構成されると、対応する二次セルのアクティブ化／非アクティブ化ステータスを示す、項目８に記載の方法。
（項目１１）
上記無線デバイスは、対応する二次セルが構成されないと、上記Ａ／Ｄ  ＭＡＣ  ＣＥ内のビットを無視する、項目８に記載の方法。
（項目１２）
上記Ａ／Ｄ  ＭＡＣ  ＣＥ内のビットは、上記ビットが１に設定され、対応する二次セルが構成されると、対応する二次セルがアクティブ化されたことを示す、項目８に記載の方法。
（項目１３）
上記Ａ／Ｄ  ＭＡＣ  ＣＥ内のビットは、上記ビットがゼロに設定され、対応する二次セルが構成されると、対応する二次セルが非アクティブ化されたことを示す、項目８に記載の方法。
（項目１４）
上記第２のＬＣＩＤは、上記１つまたはそれを上回る二次セルのうちの７つを上回るものが構成されると、採用される、項目８に記載の方法。
（項目１５）
方法であって、
基地局によって、無線デバイスに、１つまたはそれを上回る二次セルの構成パラメータを含む、少なくとも１つのメッセージを伝送するステップと、
アクティブ化／非アクティブ化媒体アクセス制御制御要素（Ａ／Ｄ  ＭＡＣ  ＣＥ）を伝送するステップであって、上記１つまたはそれを上回る二次セルのうちの最大７つがそれぞれ、１〜７の値を有するセルインデックスを用いて構成される場合、上記Ａ／Ｄ  ＭＡＣ  ＣＥは、１オクテットの固定サイズであり、上記Ａ／Ｄ  ＭＡＣ  ＣＥは、第１の論理チャネル識別子（ＬＣＩＤ）を含む、第１のサブヘッダによって識別され、そうでなければ、上記Ａ／Ｄ  ＭＡＣ  ＣＥは、４オクテットの固定サイズであり、上記Ａ／Ｄ  ＭＡＣ  ＣＥは、上記第１のＬＣＩＤと異なる第２のＬＣＩＤを用いて第２のサブヘッダによって識別される、ステップと、
上記Ａ／Ｄ  ＭＡＣ  ＣＥに従って、上記１つまたはそれを上回る二次セル内の少なくとも１つの二次セルのステータスをアクティブ化または非アクティブ化するステップと、
を含む、方法。
（項目１６） 
上記第１のＬＣＩＤおよび上記第２のＬＣＩＤはそれぞれ、５ビットの長さを有し、
上記第１のサブヘッダは、１オクテットのサイズを有し、上記第１のＬＣＩＤを含み、
上記第２のサブヘッダは、１オクテットのサイズを有し、上記第２のＬＣＩＤを含み、
上記第１のサブヘッダおよび上記第２のサブヘッダは、長さフィールドを含まない、項目１５に記載の方法。
（項目１７）
上記Ａ／Ｄ  ＭＡＣ  ＣＥ内のビットは、対応する二次セルが構成されると、対応する二次セルのアクティブ化／非アクティブ化ステータスを示す、項目１５に記載の方法。
（項目１８）
上記無線デバイスは、対応する二次セルが構成されないと、上記Ａ／Ｄ  ＭＡＣ  ＣＥ内のビットを無視する、項目１５に記載の方法。
（項目１９）
上記Ａ／Ｄ  ＭＡＣ  ＣＥ内のビットは、上記ビットが１に設定され、対応する二次セルが構成されると、対応する二次セルがアクティブ化されたことを示す、項目１５に記載の方法。
（項目２０）
上記第２のＬＣＩＤは、上記１つまたはそれを上回る二次セルのうちの７つを上回るものが構成されると、採用される、項目１５に記載の方法。
（項目２１）
方法であって、
無線デバイスによって、１つまたはそれを上回る二次セルの構成パラメータを含む、少なくとも１つのメッセージを受信するステップと、
上記無線デバイスによって、１つまたはそれを上回る経路損失基準セル上で受信された信号を採用して、１つまたはそれを上回る経路損失値を測定するステップと、
上記１つまたはそれを上回る経路損失値を採用して、電力ヘッドルーム報告媒体アクセス制御制御要素（ＰＨＲ  ＭＡＣ  ＣＥ）の１つまたはそれを上回るフィールドを計算するステップと、
上記ＰＨＲ  ＭＡＣ  ＣＥを伝送するステップであって、
上記ＰＨＲ  ＭＡＣ  ＣＥは、複数の存在ビットを含む、存在フィールドを含み、
上記存在フィールドは、上記１つまたはそれを上回る二次セルのうちの最大７つがそれぞれ、１〜７の値を有するセルインデックスを用いて構成されるとき、１オクテットの固定サイズであり、
上記存在フィールドは、上記１つまたはそれを上回る二次セルが、アップリンクが構成された７つを上回る二次セルを含むとき、４オクテットの固定サイズである、ステップと、
を含む、方法。
（項目２２）
上記ＰＨＲ  ＭＡＣ  ＣＥは、サブヘッダによって識別され、上記サブヘッダは、論理チャネル識別子（ＬＣＩＤ）フィールドと、長さフィールドとを含む、項目２１に記載の方法。
（項目２３）
上記存在フィールド内のビットは、１つまたはそれを上回る電力ヘッドルームフィールドが対応する二次セルに関して存在するかどうかを示す、項目２１に記載の方法。
（項目２４）
上記無線デバイスは、対応する二次セルが構成されないと、上記存在フィールド内のビットをゼロに設定する、項目２１に記載の方法。
（項目２５）
上記存在フィールド内のビットは、上記ビットが１に設定されると、１つまたはそれを上回る電力ヘッドルームフィールドが対応する二次セルに関して存在することを示す、項目２１に記載の方法。
（項目２６）
上記存在ビット内のビットは、上記ビットがゼロに設定されると、電力ヘッドルームフィールドが対応する二次セルに関して存在しないことを示す、項目２１に記載の方法。
（項目２７）
上記１つまたはそれを上回る二次セルは、二次物理アップリンク制御チャネル（ＰＵＣＣＨ）二次セルを含む、項目２１に記載の方法。
（項目２８）
上記１つまたはそれを上回るフィールドは、１つまたはそれを上回るタイプ１電力ヘッドルームフィールドおよび１つまたはそれを上回るタイプ２電力ヘッドルームフィールドを含む、項目２１に記載の方法。
（項目２９）
方法であって、
基地局によって無線デバイスに、１つまたはそれを上回る二次セルの構成パラメータを含む、少なくとも１つのメッセージを伝送するステップと、
複数の存在ビットを含む、存在フィールドを含む、電力ヘッドルーム報告媒体アクセス制御制御要素（ＰＨＲ  ＭＡＣ  ＣＥ）を受信するステップであって、
上記存在フィールドは、上記１つまたはそれを上回る二次セルのうちの最大７つがそれぞれ、１〜７の値を有するセルインデックスを用いて構成されるとき、１オクテットの固定サイズであり、
上記存在フィールドは、上記１つまたはそれを上回る二次セルが、アップリンクが構成された７つを上回る二次セルを含むとき、４オクテットの固定サイズである、ステップと、
上記無線デバイスに、少なくとも上記ＰＨＲ  ＭＡＣ  ＣＥを採用して、１つまたはそれを上回る制御コマンドを伝送するステップと、
を含む、方法。
（項目３０）
上記ＰＨＲ  ＭＡＣ  ＣＥは、論理チャネル識別子（ＬＣＩＤ）フィールドを含む、サブヘッダと、長さフィールドとによって識別される、項目２９に記載の方法。
（項目３１）
上記存在フィールド内のビットは、１つまたはそれを上回る電力ヘッドルームフィールドが対応する二次セルに関して存在するかどうかを示す、項目２９に記載の方法。
（項目３２）
上記基地局は、対応する二次セルが構成されないと、上記存在フィールド内のビットを無視する、項目２９に記載の方法。
（項目３３）
上記存在フィールド内のビットは、上記ビットが１に設定されると、１つまたはそれを上回る電力ヘッドルームフィールドが対応する二次セルに関して存在することを示す、項目２９に記載の方法。
（項目３４）
上記存在フィールド内のビットは、上記ビットがゼロに設定されると、電力ヘッドルームフィールドが対応する二次セルに関して存在しないことを示す、項目２９に記載の方法。
（項目３５）
上記１つまたはそれを上回る二次セルは、二次物理アップリンク制御チャネル（ＰＵＣＣＨ）二次セルを含む、項目２９に記載の方法。
（項目３６）
上記ＰＨＲ  ＭＡＣ  ＣＥは、１つまたはそれを上回るタイプ１電力ヘッドルームフィールドおよび１つまたはそれを上回るタイプ２電力ヘッドルームフィールドを含む、項目２９に記載の方法。
（項目３７）
無線デバイスであって、
１つまたはそれを上回るプロセッサと、
命令を記憶するメモリであって、上記命令は、実行されると、上記無線デバイスに、
１つまたはそれを上回る二次セルの構成パラメータを含む、少なくとも１つのメッセージを受信することと、
１つまたはそれを上回る経路損失基準セル上で受信された信号を採用して、１つまたはそれを上回る経路損失値を測定することと、
上記１つまたはそれを上回る経路損失値を採用して、電力ヘッドルーム報告媒体アクセス制御制御要素（ＰＨＲ  ＭＡＣ  ＣＥ）の１つまたはそれを上回るフィールドを計算することと、
上記ＰＨＲ  ＭＡＣ  ＣＥを伝送することと、
を行わせ、
上記ＰＨＲ  ＭＡＣ  ＣＥは、１つまたはそれを上回る存在ビットを含む、存在フィールドを含み、
上記存在フィールドは、上記１つまたはそれを上回る二次セルのうちの最大７つがそれぞれ、１〜７の値を有するセルインデックスを用いて構成されるとき、１オクテットの固定サイズであり、
上記存在フィールドは、上記１つまたはそれを上回る二次セルが、アップリンクが構成された７つを上回る二次セルを含むとき、４オクテットの固定サイズである、メモリと、
を備える、無線デバイス。
（項目３８）
上記ＰＨＲ  ＭＡＣ  ＣＥは、サブヘッダによって識別され、上記サブヘッダは、論理チャネル識別子（ＬＣＩＤ）フィールドと、長さフィールドとを含む、項目３７に記載の無線デバイス。
（項目３９） 
上記存在フィールド内のビットは、１つまたはそれを上回る電力ヘッドルームフィールドが対応する二次セルに関して存在するかどうかを示す、項目３７に記載の無線デバイス。
（項目４０）
上記存在フィールド内のビットは、上記ビットがゼロに設定されると、電力ヘッドルームフィールドが対応する二次セルに関して存在しないことを示す、項目３７に記載の無線デバイス。
（項目４１） 
方法であって、
無線デバイスによって、１つまたはそれを上回る二次セルの構成パラメータを含む、少なくとも１つのメッセージを受信するステップと、
アクティブ化／非アクティブ化媒体アクセス制御制御要素（Ａ／Ｄ  ＭＡＣ  ＣＥ）を受信するステップであって、上記１つまたはそれを上回る二次セルのうちの最大７つがそれぞれ、１〜７の値を有するセルインデックスを用いて構成される場合、上記Ａ／Ｄ  ＭＡＣ  ＣＥは、１オクテットの固定サイズであり、そうでなければ、上記Ａ／Ｄ  ＭＡＣ  ＣＥは、４オクテットの固定サイズである、ステップと、
上記Ａ／Ｄ  ＭＡＣ  ＣＥに従って、上記１つまたはそれを上回る二次セル内の少なくとも１つの二次セルをアクティブ化または非アクティブ化するステップと、
を含む、方法。
（項目４２）
方法であって、
無線デバイスによって、１つまたはそれを上回る二次セルの構成パラメータを含む、少なくとも１つのメッセージを受信するステップと、
アクティブ化／非アクティブ化媒体アクセス制御制御要素（Ａ／Ｄ  ＭＡＣ  ＣＥ）を受信するステップであって、上記構成パラメータが第１の基準を満たす場合、上記Ａ／Ｄ  ＭＡＣ  ＣＥは、１オクテットの固定サイズであり、そうでなければ、上記Ａ／Ｄ  ＭＡＣ  ＣＥは、４オクテットの固定サイズである、ステップと、
上記Ａ／Ｄ  ＭＡＣ  ＣＥに従って、上記１つまたはそれを上回る二次セル内の少なくとも１つの二次セルをアクティブ化または非アクティブ化するステップと、
を含む、方法。
（項目４３）
方法であって、
基地局によって、無線デバイスに、１つまたはそれを上回る二次セルの構成パラメータを含む、少なくとも１つのメッセージを伝送するステップと、
アクティブ化／非アクティブ化媒体アクセス制御制御要素（Ａ／Ｄ  ＭＡＣ  ＣＥ）を伝送するステップであって、上記１つまたはそれを上回る二次セルのうちの最大７つがそれぞれ、１〜７の値を有するセルインデックスを用いて構成される場合、上記Ａ／Ｄ  ＭＡＣ  ＣＥは、１オクテットの固定サイズであり、そうでなければ、上記Ａ／Ｄ  ＭＡＣ  ＣＥは、４オクテットの固定サイズである、ステップと、
上記Ａ／Ｄ  ＭＡＣ  ＣＥに従って、上記１つまたはそれを上回る二次セル内の少なくとも１つの二次セルのステータスをアクティブ化または非アクティブ化するステップと、
を含む、方法。
（項目４４） 
方法であって、
無線デバイスによって、１つまたはそれを上回る二次セルの構成パラメータを含む、少なくとも１つのメッセージを受信するステップと、
電力ヘッドルーム報告媒体アクセス制御制御要素（ＰＨＲ  ＭＡＣ  ＣＥ）の１つまたはそれを上回るフィールドを計算するステップと、
上記ＰＨＲ  ＭＡＣ  ＣＥを伝送するステップであって、
上記ＰＨＲ  ＭＡＣ  ＣＥは、複数の存在ビットを含む、存在フィールドを含み、
上記存在フィールドは、上記１つまたはそれを上回る二次セルのうちの最大７つがそれぞれ、１〜７の値を有するセルインデックスを用いて構成されるとき、１オクテットの固定サイズであり、
上記存在フィールドは、上記１つまたはそれを上回る二次セルが、アップリンクが構成された７つを上回る二次セルを含むとき、４オクテットの固定サイズである、ステップと、
を含む、方法。
（項目４５） 
方法であって、
基地局によって無線デバイスに、１つまたはそれを上回る二次セルの構成パラメータを含む、少なくとも１つのメッセージを伝送するステップと、
複数の存在ビットを含む、存在フィールドを含む、電力ヘッドルーム報告媒体アクセス制御制御要素（ＰＨＲ  ＭＡＣ  ＣＥ）を受信するステップであって、
上記存在フィールドは、上記１つまたはそれを上回る二次セルのうちの最大７つがそれぞれ、１〜７の値を有するセルインデックスを用いて構成されるとき、１オクテットの固定サイズであり、
上記存在フィールドは、上記１つまたはそれを上回る二次セルが、アップリンクが構成された７つを上回る二次セルを含むとき、４オクテットの固定サイズである、ステップと、
を含む、方法。
（項目４６）
無線デバイスであって、
１つまたはそれを上回るプロセッサと、
命令を記憶するメモリであって、上記命令は、実行されると、上記無線デバイスに、
１つまたはそれを上回る二次セルの構成パラメータを含む、少なくとも１つのメッセージを受信することと、
電力ヘッドルーム報告媒体アクセス制御制御要素（ＰＨＲ  ＭＡＣ  ＣＥ）の１つまたはそれを上回るフィールドを計算することと、
上記ＰＨＲ  ＭＡＣ  ＣＥを伝送することと、
を行わせ、
上記ＰＨＲ  ＭＡＣ  ＣＥは、１つまたはそれを上回る存在ビットを含む、存在フィールドを含み、
上記存在フィールドは、上記１つまたはそれを上回る二次セルのうちの最大７つがそれぞれ、１〜７の値を有するセルインデックスを用いて構成されるとき、１オクテットの固定サイズであり、
上記存在フィールドは、上記１つまたはそれを上回る二次セルが、アップリンクが構成された７つを上回る二次セルを含むとき、４オクテットの固定サイズである、メモリと、
を備える、無線デバイス。
（項目４７） 
方法であって、
無線デバイスによって、１つまたはそれを上回る二次セルの構成パラメータを含む、少なくとも１つのメッセージを受信するステップと、
アクティブ化／非アクティブ化媒体アクセス制御制御要素（Ａ／Ｄ  ＭＡＣ  ＣＥ）を受信するステップであって、上記１つまたはそれを上回る二次セルのうちの最大７つがそれぞれ、１〜７の値を有するセルインデックスを用いて構成される場合、上記Ａ／Ｄ  ＭＡＣ  ＣＥは、第１の論理チャネル識別子（ＬＣＩＤ）を含む、第１のサブヘッダによって識別され、そうでなければ、上記Ａ／Ｄ  ＭＡＣ  ＣＥは、上記第１のＬＣＩＤと異なる第２のＬＣＩＤを含む、第２のサブヘッダによって識別される、ステップと、
上記Ａ／Ｄ  ＭＡＣ  ＣＥに従って、上記１つまたはそれを上回る二次セル内の少なくとも１つの二次セルをアクティブ化または非アクティブ化するステップと、
を含む、方法。
（項目４８） 
方法であって、
無線デバイスによって、１つまたはそれを上回る二次セルの構成パラメータを含む、少なくとも１つのメッセージを受信するステップと、
アクティブ化／非アクティブ化媒体アクセス制御制御要素（Ａ／Ｄ  ＭＡＣ  ＣＥ）を受信するステップであって、上記構成パラメータが第１の基準を満たす場合、上記Ａ／Ｄ  ＭＡＣ  ＣＥは、第１の論理チャネル識別子（ＬＣＩＤ）を含む、第１のサブヘッダによって識別され、そうでなければ、上記Ａ／Ｄ  ＭＡＣ  ＣＥは、上記第１のＬＣＩＤと異なる第２のＬＣＩＤを用いて第２のサブヘッダによって識別される、ステップと、
上記Ａ／Ｄ  ＭＡＣ  ＣＥに従って、上記１つまたはそれを上回る二次セル内の少なくとも１つの二次セルをアクティブ化または非アクティブ化するステップと、
を含む、方法。
（項目４９）
方法であって、
基地局によって、無線デバイスに、１つまたはそれを上回る二次セルの構成パラメータを含む、少なくとも１つのメッセージを伝送するステップと、
アクティブ化／非アクティブ化媒体アクセス制御制御要素（Ａ／Ｄ  ＭＡＣ  ＣＥ）を伝送するステップであって、上記１つまたはそれを上回る二次セルのうちの最大７つがそれぞれ、１〜７の値を有するセルインデックスを用いて構成される場合、上記Ａ／Ｄ  ＭＡＣ  ＣＥは、第１の論理チャネル識別子（ＬＣＩＤ）を含む、第１のサブヘッダによって識別され、そうでなければ、上記Ａ／Ｄ  ＭＡＣ  ＣＥは、上記第１のＬＣＩＤと異なる第２のＬＣＩＤを用いて第２のサブヘッダによって識別される、ステップと、
上記Ａ／Ｄ  ＭＡＣ  ＣＥに従って、上記１つまたはそれを上回る二次セル内の少なくとも１つの二次セルのステータスをアクティブ化または非アクティブ化するステップと、
を含む、方法。
（項目５０）
方法であって、
無線デバイスによって、１つまたはそれを上回る二次セルの構成パラメータを含む、少なくとも１つのメッセージを受信するステップと、
電力ヘッドルーム報告媒体アクセス制御制御要素（ＰＨＲ  ＭＡＣ  ＣＥ）の１つまたはそれを上回るフィールドを計算するステップと、
上記ＰＨＲ  ＭＡＣ  ＣＥを伝送するステップであって、
上記ＰＨＲ  ＭＡＣ  ＣＥは、複数の存在ビットを含む、存在フィールドを含み、
上記存在フィールドは、上記構成パラメータが第１の基準を満たすと、１オクテットの固定サイズであり、
上記存在フィールドは、上記構成パラメータが第２の基準を満たすと、４オクテットの固定サイズである、
ステップと、
を含む、方法。
（項目５１）
方法であって、
基地局によって無線デバイスに、１つまたはそれを上回る二次セルの構成パラメータを含む、少なくとも１つのメッセージを伝送するステップと、
複数の存在ビットを含む、存在フィールドを含む、電力ヘッドルーム報告媒体アクセス制御制御要素（ＰＨＲ  ＭＡＣ  ＣＥ）を受信するステップであって、
上記存在フィールドは、上記構成パラメータが第１の基準を満たすと、１オクテットの固定サイズであり、
上記存在フィールドは、上記構成パラメータが第２の基準を満たすと、４オクテットの固定サイズである、ステップと、
を含む、方法。
（項目５２）
無線デバイスであって、
１つまたはそれを上回るプロセッサと、
命令を記憶するメモリであって、上記命令は、実行されると、上記無線デバイスに、
１つまたはそれを上回る二次セルの構成パラメータを含む、少なくとも１つのメッセージを受信することと、
電力ヘッドルーム報告媒体アクセス制御制御要素（ＰＨＲ  ＭＡＣ  ＣＥ）の１つまたはそれを上回るフィールドを計算することと、
上記ＰＨＲ  ＭＡＣ  ＣＥを伝送することと、
を行わせ、
上記ＰＨＲ  ＭＡＣ  ＣＥは、１つまたはそれを上回る存在ビットを含む、存在フィールドを含み、
上記存在フィールドは、上記構成パラメータが第１の基準を満たすと、１オクテットの固定サイズであり、
上記存在フィールドは、上記構成パラメータが第２の基準を満たすと、４オクテットの固定サイズである、メモリと、
を備える、無線デバイス。
【図面の簡単な説明】
【０００３】
本発明の種々の実施形態のうちのいくつかの実施例が、図面を参照して本明細書に説明される。
【０００４】
【図１】図１は、本発明の実施形態のある側面による、ＯＦＤＭサブキャリアの例示的セットを描写する、略図である。
【０００５】
【図２】図２は、本発明の実施形態のある側面による、キャリアグループ内の２つのキャリアに関する例示的伝送時間および受信時間を描写する、略図である。
【０００６】
【図３】図３は、本発明の実施形態のある側面による、ＯＦＤＭ無線リソースを描写する、図である。
【０００７】
【図４】図４は、本発明の実施形態のある側面による、基地局および無線デバイスのブロック図である。
【０００８】
【図５】図５Ａ、図５Ｂ、図５Ｃ、および図５Ｄは、本発明の実施形態のある側面による、アップリンクおよびダウンリンク信号伝送に関する例示的略図である。
【０００９】
【図６】図６は、本発明の実施形態のある側面による、ＣＡおよびＤＣを用いたプロトコル構造に関する例示的略図である。
【００１０】
【図７】図７は、本発明の実施形態のある側面による、ＣＡおよびＤＣを用いたプロトコル構造に関する例示的略図である。
【００１１】
【図８】図８は、本発明の実施形態のある側面による、例示的ＴＡＧ構成を示す。
【００１２】
【図９】図９は、本発明の実施形態のある側面による、二次ＴＡＧ内のランダムアクセスプロセスにおける例示的メッセージフローである。
【００１３】
【図１０】図１０は、本発明の実施形態のある側面による、ＰＵＣＣＨグループへのセルの例示的グループ化である。
【００１４】
【図１１】図１１は、本発明の実施形態のある側面による、１つまたはそれを上回るＰＵＣＣＨグループおよび１つまたはそれを上回るＴＡＧグループへのセルの例示的グループ化を図示する。
【００１５】
【図１２】図１２は、本発明の実施形態のある側面による、１つまたはそれを上回るＰＵＣＣＨグループおよび１つまたはそれを上回るＴＡＧグループへのセルの例示的グループ化を図示する。
【００１６】
【図１３】図１３は、本発明の実施形態のある側面による、例示的ＭＡＣ  ＰＤＵである。
【００１７】
【図１４】図１４Ａおよび１４Ｂは、例示的実施形態のある側面による、例示的アクティブ化／非アクティブ化ＭＡＣ  ＣＥである。
【００１８】
【図１５】図１５は、例示的実施形態のある側面による、Ａ／Ｄ  ＭＡＣ  ＣＥのための例示的ＭＡＣサブヘッダである。
【００１９】
【図１６】図１６Ａおよび１６Ｂは、例示的実施形態のある側面による、ＬＣＩＤおよびＭＡＣ  ＣＥの実施例である。
【００２０】
【図１７】図１７Ａおよび１７Ｂは、例示的実施形態のある側面による、ＰＨＲ  ＭＡＣ  ＣＥ存在フィールドの実施例である。
【００２１】
【図１８】図１８Ａおよび１８Ｂは、例示的実施形態のある側面による、ＰＨＲ  ＭＡＣ  ＣＥの実施例である。
【００２２】
【図１９】図１９は、例示的実施形態のある側面による、ＰＨＲ  ＭＡＣ  ＣＥサブヘッダの実施例である。
【００２３】
【図２０】図２０は、本発明の実施形態のある側面による、例示的フロー図である。
【００２４】
【図２１】図２１は、本発明の実施形態のある側面による、例示的フロー図である。
【００２５】
【図２２】図２２は、本発明の実施形態のある側面による、例示的フロー図である。
【００２６】
【図２３】図２３は、本発明の実施形態のある側面による、例示的フロー図である。
【発明を実施するための形態】
【００２７】
以下の略語は、本開示の全体を通して使用される。
ＡＳＩＣ    特定用途向け集積回路
ＢＰＳＫ    二位相偏移変調
ＣＡ    キャリアアグリゲーション
ＣＳＩ    チャネル状態情報
ＣＤＭＡ    符号分割多重アクセス
ＣＳＳ    共通検索空間
ＣＰＬＤ    複合プログラマブル論理デバイス
ＣＣ    コンポーネントキャリア
ＤＬ    ダウンリンク
ＤＣＩ    ダウンリンク制御情報
ＤＣ    デュアルコネクティビティ
ＥＰＣ    進化型パケットコア
Ｅ−ＵＴＲＡＮ    進化型ユニバーサル地上無線アクセスネットワーク
ＦＰＧＡ    フィールドプログラマブルゲートアレイ
ＦＤＤ    周波数分割多重化
ＨＤＬ    ハードウェア記述言語
ＨＡＲＱ    ハイブリッド自動反復要求
ＩＥ    情報要素
ＬＴＥ    ロング・ターム・エボリューション
ＭＣＧ    マスタセルグループ
ＭｅＮＢ    マスタ進化型ノードＢ
ＭＩＢ    マスタ情報ブロック
ＭＡＣ    媒体アクセス制御
ＭＡＣ    媒体アクセス制御
ＭＭＥ    モビリティ管理エンティティ
ＮＡＳ    非アクセス層
ＯＦＤＭ    直交周波数分割多重化
ＰＤＣＰ    パケットデータ収束プロトコル
ＰＤＵ    パケットデータユニット
ＰＨＹ    物理
ＰＤＣＣＨ    物理ダウンリンク制御チャネル
ＰＨＩＣＨ    物理ＨＡＲＱインジケータチャネル
ＰＵＣＣＨ    物理アップリンク制御チャネル
ＰＵＳＣＨ    物理アップリンク共有チャネル
ＰＣｅｌｌ    一次セル
ＰＣｅｌｌ    一次セル
ＰＣＣ    一次コンポーネントキャリア
ＰＳＣｅｌｌ    一次二次セル
ｐＴＡＧ    一次タイミングアドバンスグループ
ＱＡＭ    直交振幅変調
ＱＰＳＫ    直交位相偏移変調
ＲＢＧ    リソースブロックグループ
ＲＬＣ    無線リンク制御
ＲＲＣ    無線リソース制御
ＲＡ    ランダムアクセス
ＲＢ    リソースブロック
ＳＣＣ    二次コンポーネントキャリア
ＳＣｅｌｌ    二次セル
ＳＣｅｌｌ    二次セル
ＳＣＧ    二次セルグループ
ＳｅＮＢ    二次進化型ノードＢ
ｓＴＡＧ    二次タイミングアドバンスグループ
ＳＤＵ    サービスデータユニット
Ｓ−ＧＷ    サービングゲートウェイ
ＳＲＢ    信号伝達無線ベアラ
ＳＣ−ＯＦＤＭ    単一キャリア−ＯＦＤＭ
ＳＦＮ    システムフレーム数
ＳＩＢ    システム情報ブロック
ＴＡＩ    追跡エリア識別子
ＴＡＴ    時間整合タイマ
ＴＤＤ    時分割複信
ＴＤＭＡ    時分割多重アクセス
ＴＡ    タイミングアドバンス
ＴＡＧ    タイミングアドバンスグループ
ＴＢ    トランスポートブロック
ＵＬ    アップリンク
ＵＥ    ユーザ機器
ＶＨＤＬ    ＶＨＳＩＣハードウェア記述言語
【００２８】
本発明の例示的実施形態は、種々の物理層変調および伝送機構を使用して実装されてもよい。例示的伝送機構として、限定ではないが、ＣＤＭＡ、ＯＦＤＭ、ＴＤＭＡ、ウェーブレット技術、および／または同等物が挙げられ得る。ＴＤＭＡ／ＣＤＭＡおよびＯＦＤＭ／ＣＤＭＡ等のハイブリッド伝送機構もまた、採用されてもよい。種々の変調スキームが、物理層内の信号伝送のために適用されてもよい。変調スキームの実施例として、限定ではないが、位相、振幅、コード、これらの組み合わせ、および／または同等物が挙げられる。例示的無線伝送方法は、ＢＰＳＫ、ＱＰＳＫ、１６−ＱＡＭ、６４−ＱＡＭ、２５６−ＱＡＭ、および／または同等物を使用して、ＱＡＭを実装し得る。物理無線伝送は、伝送要件および無線条件に応じて、変調およびコーディングスキームを動的または半動的に変化させることによって強化され得る。
【００２９】
図１は、本発明の実施形態のある側面による、ＯＦＤＭサブキャリアの例示的セットを描写する、略図である。本実施例に図示されるように、略図内の矢印は、マルチキャリアＯＦＤＭシステム内のサブキャリアを描写し得る。ＯＦＤＭシステムは、ＯＦＤＭ技術、ＳＣ−ＯＦＤＭ技術、または同等物等の技術を使用してもよい。例えば、矢印１０１は、サブキャリア伝送情報シンボルを示す。図１は、例証目的のためのものであって、典型的マルチキャリアＯＦＤＭシステムは、キャリア内により多くのサブキャリアを含んでもよい。例えば、キャリア内のサブキャリアの数は、１０〜１０，０００サブキャリアの範囲内であってもよい。図１は、伝送バンド内の２つのガードバンド１０６および１０７を示す。図１に図示されるように、ガードバンド１０６は、サブキャリア１０３とサブキャリア１０４との間にある。サブキャリアＡ１０２の例示的セットは、サブキャリア１０３と、サブキャリア１０４とを含む。図１はまた、サブキャリアＢ１０５の例示的セットを図示する。図示されるように、サブキャリアＢ１０５の例示的セット内には、任意の２つのサブキャリアの間にガードバンドが存在しない。マルチキャリアＯＦＤＭ通信システム内のキャリアは、連続的キャリア、非連続的キャリア、または連続的および非連続的キャリア両方の組み合わせであってもよい。
【００３０】
図２は、本発明の実施形態のある側面による、２つのキャリアに関する例示的伝送時間および受信時間を描写する、略図である。マルチキャリアＯＦＤＭ通信システムは、例えば、１〜１０キャリアに及ぶ、１つまたはそれを上回るキャリアを含んでもよい。キャリアＡ２０４およびキャリアＢ２０５は、同一または異なるタイミング構造を有してもよい。図２は、２つの同期されたキャリアを示すが、キャリアＡ２０４およびキャリアＢ２０５は、相互に同期されてもよい、またはそうではなくてもよい。異なる無線フレーム構造は、ＦＤＤおよびＴＤＤ複信機構のためにサポートされてもよい。図２は、例示的ＦＤＤフレームタイミングを示す。ダウンリンクおよびアップリンク伝送は、無線フレーム２０１の中に編成されてもよい。本実施例では、無線フレーム持続時間は、１０ミリ秒である。他のフレーム持続時間、例えば、１〜１００ミリ秒の範囲内もまた、サポートされてもよい。本実施例では、各１０ミリ秒無線フレーム２０１は、１０の等サイズのサブフレーム２０２に分割されてもよい。０．５ミリ秒、１ミリ秒、２ミリ秒、および５ミリ秒を含む、他のサブフレーム持続時間もまた、サポートされてもよい。サブフレームは、２つまたはそれを上回るスロット（例えば、スロット２０６および２０７）から成ってもよい。ＦＤＤの実施例に関して、１０のサブフレームが、各１０ミリ秒間隔において、ダウンリンク伝送のために利用可能であってもよく、１０のサブフレームが、アップリンク伝送のために利用可能であってもよい。アップリンクおよびダウンリンク伝送は、周波数ドメイン内で分離されてもよい。スロットは、複数のＯＦＤＭシンボル２０３を含んでもよい。スロット２０６内のＯＦＤＭシンボル２０３の数は、サイクリックプレフィックス長およびサブキャリア間隔に依存し得る。
【００３１】
図３は、本発明の実施形態のある側面による、ＯＦＤＭ無線リソースを描写する、略図である。時間３０４および周波数３０５内のリソースグリッド構造が、図３に図示される。ダウンリンクサブキャリアまたはＲＢの数量（本実施例では、６〜１００ＲＢ）は、少なくとも部分的に、セル内で構成されたダウンリンク伝送帯域幅３０６に依存し得る。最小無線リソースユニットは、リソース要素（例えば、３０１）と呼ばれ得る。リソース要素は、リソースブロック（例えば、３０２）にグループ化されてもよい。リソースブロックは、リソースブロックグループ（ＲＢＧ）（例えば、３０３）と呼ばれるより大きい無線リソースにグループ化されてもよい。スロット２０６内で伝送される信号は、複数のサブキャリアおよび複数のＯＦＤＭシンボルの１つまたはいくつかのリソースグリッドによって記述され得る。リソースブロックは、リソース要素へのある物理チャネルのマッピングを記述するために使用されてもよい。物理リソース要素の他の事前に定義されたグループ化も、無線技術に応じて、システム内に実装されてもよい。例えば、２４のサブキャリアが、５ミリ秒の持続時間の間、無線ブロックとしてグループ化されてもよい。例証的実施例では、リソースブロックは、時間ドメイン内の１つのスロットおよび周波数ドメイン内の１８０ｋＨｚに対応し得る（１５ＫＨｚサブキャリア帯域幅および１２のサブキャリアに関して）。
【００３２】
図５Ａ、図５Ｂ、図５Ｃ、および図５Ｄは、本発明の実施形態のある側面による、アップリンクおよびダウンリンク信号伝送のための例示的略図である。図５Ａは、例示的アップリンク物理チャネルを示す。物理アップリンク共有チャネルを表すベースバンド信号は、以下のプロセスを行い得る。これらの機能は、実施例として図示され、種々の実施形態では、他の機構が実装されてもよいことが予期される。そのような機能として、スクランブリング、複素数値シンボルを生成するためのスクランブリングされたビットの変調、１つまたはいくつかの伝送層上への複素数値変調シンボルのマッピング、複素数値シンボルを生成するための変換プリコーディング、複素数値シンボルのプリコーディング、リソース要素へのプリコーディングされた複素数値シンボルのマッピング、アンテナポート毎の複素数値時間ドメインＳＣ−ＦＤＭＡ信号の生成、および／または同等物が挙げられ得る。
【００３３】
アンテナポート毎の複素数値ＳＣ−ＦＤＭＡベースバンド信号および／または複素数値ＰＲＡＣＨベースバンド信号のキャリア周波数への例示的変調および上方変換は、図５Ｂに示される。フィルタリングが、伝送に先立って採用されてもよい。
【００３４】
ダウンリンク伝送のための例示的構造は、図５Ｃに示される。ダウンリンク物理チャネルを表すベースバンド信号は、以下のプロセスを行い得る。これらの機能は、実施例として図示され、種々の実施形態では、他の機構が実装されてもよいことが予期される。そのような機能として、物理チャネル上で伝送されるべきコードワードのそれぞれ内のコード化されたビットのスクランブリング、複素数値変調シンボルを生成するためのスクランブリングされたビットの変調、１つまたはいくつかの伝送層上への複素数値変調シンボルのマッピング、アンテナポート上での伝送のための各層上での複素数値変調シンボルのプリコーディング、リソース要素へのアンテナポート毎の複素数値変調シンボルのマッピング、アンテナポート毎の複素数値時間ドメインＯＦＤＭ信号の生成、および／または同等物が挙げられる。
【００３５】
アンテナポート毎の複素数値ＯＦＤＭベースバンド信号のキャリア周波数への例示的変調および上方変換は、図５Ｄに示される。フィルタリングが、伝送に先立って採用されてもよい。
【００３６】
図４は、本発明の実施形態のある側面による、基地局４０１および無線デバイス４０６の例示的ブロック図である。通信ネットワーク４００は、少なくとも１つの基地局４０１と、少なくとも１つの無線デバイス４０６とを含んでもよい。基地局４０１は、少なくとも１つの通信インターフェース４０２と、少なくとも１つのプロセッサ４０３と、非一過性メモリ４０４内に記憶され、少なくとも１つのプロセッサ４０３によって実行可能な少なくとも１セットのプログラムコード命令４０５とを含んでもよい。無線デバイス４０６は、少なくとも１つの通信インターフェース４０７と、少なくとも１つのプロセッサ４０８と、非一過性メモリ４０９内に記憶され、少なくとも１つのプロセッサ４０８によって実行可能な少なくとも１セットのプログラムコード命令４１０とを含んでもよい。基地局４０１内の通信インターフェース４０２は、少なくとも１つの無線リンク４１１を含む、通信経路を介して、無線デバイス４０６内の通信インターフェース４０７との通信に従事するように構成されてもよい。無線リンク４１１は、双方向リンクであってもよい。無線デバイス４０６内の通信インターフェース４０７はまた、基地局４０１内の通信インターフェース４０２との通信に従事するように構成されてもよい。基地局４０１および無線デバイス４０６は複数の周波数キャリアを使用して、無線リンク４１１を経由して、データを送受信するように構成されてもよい。実施形態の種々の側面のうちのいくつかによると、送受信機が、採用されてもよい。送受信機は、送信機および受信機の両方を含む、デバイスである。送受信機は、無線デバイス、基地局、中継ノード、および／または同等物等のデバイス内で採用されてもよい。通信インターフェース４０２、４０７および無線リンク４１１内で実装される無線技術のための例示的実施形態は、図１、図２、図３、図５、および関連付けられた文書に図示される。
【００３７】
インターフェースは、ハードウェアインターフェース、ファームウェアインターフェース、ソフトウェアインターフェース、および／またはそれらの組み合わせであってもよい。ハードウェアインターフェースは、コネクタ、ワイヤ、ドライバ等の電子デバイス、増幅器、および／または同等物を含んでもよい。ソフトウェアインターフェースは、メモリデバイス内に記憶され、プロトコル、プロトコル層、通信ドライバ、デバイスドライバ、それらの組み合わせ、および／または同等物を実装する、コードを含んでもよい。ファームウェアインターフェースは、埋設されるハードウェアと、メモリデバイス内に記憶され、および／またはそれと通信し、接続、電子デバイス動作、プロトコル、プロトコル層、通信ドライバ、デバイスドライバ、ハードウェア動作、それらの組み合わせ、および／または同等物を実装する、コードの組み合わせを含んでもよい。
【００３８】
用語「構成される」とは、デバイスが動作または非動作状態にあるかどうかにかかわらず、デバイスの能力に関し得る。「構成される」はまた、デバイスが動作または非動作状態にあるかどうかにかかわらず、デバイスの動作特性をもたらす、デバイス内の具体的設定を指し得る。言い換えると、ハードウェア、ソフトウェア、ファームウェア、レジスタ、メモリ値、および／または同等物は、デバイスが動作または非動作状態にあるかどうかにかかわらず、デバイスに具体的特性を提供するようにデバイス内で「構成」され得る。「デバイス内で生じさせるための制御メッセージ」等の用語は、制御メッセージが、デバイスが動作または非動作状態にあるかどうかにかかわらず、デバイス内の具体的特性を構成するために使用され得る、パラメータを有することを意味し得る。
【００３９】
実施形態の種々の側面のうちのいくつかによると、ＬＴＥネットワークは、多数の基地局を含み、ユーザプレーンＰＤＣＰ／ＲＬＣ／ＭＡＣ／ＰＨＹおよび制御プレーン（ＲＲＣ）プロトコル終端を無線デバイスに向かって提供してもよい。基地局は、他の基地局と相互接続されてもよい（例えば、Ｘ２インターフェースを採用する）。基地局はまた、例えば、ＥＰＣへのＳ１インターフェースを採用して接続されてもよい。例えば、基地局は、Ｓ１−ＭＭＥインターフェースを採用してＭＭＥと、Ｓ１−Ｕインターフェースを採用してＳ−Ｇとに相互接続されてもよい。Ｓ１インターフェースは、ＭＭＥ／サービングゲートウェイと基地局との間の多対多関係をサポートしてもよい。基地局は、多くのセクタ、例えば、１、２、３、４、または６つのセクタを含んでもよい。基地局は、多くのセル、例えば、１〜５０セルまたはそれを上回って含んでもよい。セルは、例えば、一次セルまたは二次セルとしてカテゴリ化されてもよい。ＲＲＣ接続確立／再確立／ハンドオーバでは、１つのサービングセルが、ＮＡＳ（非アクセス層）モビリティ情報（例えば、ＴＡＩ）を提供してもよく、ＲＲＣ接続再確立／ハンドオーバでは、１つのサービングセルが、セキュリティ入力を提供してもよい。本セルは、一次セル（ＰＣｅｌｌ）と称され得る。ダウンリンクでは、ＰＣｅｌｌに対応するキャリアは、ダウンリンク一次コンポーネントキャリア（ＤＬＰＣＣ）であり得る一方、アップリンクでは、アップリンク一次コンポーネントキャリア（ＵＬＰＣＣ）であり得る。無線デバイス能力に応じて、二次セル（ＳＣｅｌｌ）が、ＰＣｅｌｌのセットサービングセルとともに形成されるように構成されてもよい。ダウンリンクでは、ＳＣｅｌｌに対応するキャリアは、ダウンリンク二次コンポーネントキャリア（ＤＬ  ＳＣＣ）であり得る一方、アップリンクでは、アップリンク二次コンポーネントキャリア（ＵＬ  ＳＣＣ）であり得る。ＳＣｅｌｌは、アップリンクキャリアを有してもよい、またはそうではなくてもよい。
【００４０】
ダウンリンクキャリアと、随意に、アップリンクキャリアとを含む、セルは、物理セルＩＤおよびセルインデックスが割り当てられてもよい。キャリア（ダウンリンクまたはアップリンク）は、１つのみのセルに属してもよい。セルＩＤまたはセルインデックスはまた、セルのダウンリンクキャリアまたはアップリンクキャリアを識別し得る（それが使用される状況に応じて）。本明細書では、セルＩＤは、キャリアＩＤとも称され得、セルインデックスは、キャリアインデックスと称され得る。実装では、物理セルＩＤまたはセルインデックスは、セルが割り当てられてもよい。セルＩＤは、ダウンリンクキャリア上で伝送される同期信号を使用して、判定されてもよい。セルインデックスは、ＲＲＣメッセージを使用して、判定されてもよい。例えば、本明細書が、第１のダウンリンクキャリアに関する第１の物理セルＩＤを指すとき、本明細書は、第１の物理セルＩＤが第１のダウンリンクキャリアを含むセルに関するものであることを意味し得る。同一概念は、例えば、キャリアアクティブ化にも適用され得る。本明細書が、第１のキャリアがアクティブ化されることを示すとき、本明細書は、第１のキャリアを含むセルがアクティブ化されることも意味し得る。
【００４１】
実施形態は、必要に応じて、動作するように構成されてもよい。開示される機構は、ある基準が、例えば、無線デバイス、基地局、無線環境、ネットワーク、前述の組み合わせ、および／または同等物内で満たされるときに行われてもよい。例示的基準は、少なくとも部分的に、例えば、トラフィック負荷、初期システム設定、パケットサイズ、トラフィック特性、前述の組み合わせ、および／または同等物に基づいてもよい。１つまたはそれを上回る基準が満たされると、種々の例示的実施形態が、適用されてもよい。したがって、開示されるプロトコルを選択的に実装する例示的実施形態を実装することが可能であり得る。
【００４２】
基地局が、無線デバイスの混合と通信し得る。無線デバイスは、複数の技術および／または同一技術の複数のリリースをサポートしてもよい。無線デバイスは、その無線デバイスカテゴリおよび／または能力に応じて、いくつかの具体的能力を有してもよい。基地局は、複数のセクタを含んでもよい。本開示が、複数の無線デバイスと通信する基地局を指すとき、本開示は、サービスエリア内の総無線デバイスのサブセットを指し得る。本開示は、例えば、所与の能力を伴い、基地局の所与のセクタ内にある、所与のＬＴＥリリースの複数の無線デバイスを指し得る。本開示における複数の無線デバイスは、選択された複数の無線デバイス、および／または開示される方法に従って機能する、サービスエリア内の総無線デバイスのサブセット、および／または同等物を指し得る。サービスエリア内には、例えば、それらの無線デバイスがＬＴＥ技術のより古いリリースに基づいて機能するため、開示される方法に準拠し得ない、複数の無線デバイスが存在し得る。
【００４３】
図６および図７は、本発明の実施形態のある側面による、ＣＡおよびＤＣを用いたプロトコル構造のための例示的略図である。Ｅ−ＵＴＲＡＮは、デュアルコネクティビティ（ＤＣ）動作をサポートしてもよく、それによって、ＲＲＣ＿ＣＯＮＮＥＣＴＥＤ内の複数のＲＸ／ＴＸ  ＵＥは、Ｘ２インターフェースを経由して非理想的バックホールを介して接続される２つのｅＮＢ内に位置する２つのスケジューラによって提供される、無線リソースを利用するように構成され得る。あるＵＥのためのＤＣに関わるｅＮＢは、２つの異なる役割をし得る。すなわち、ｅＮＢは、ＭｅＮＢまたはＳｅＮＢのいずれかとして作用し得る。ＤＣでは、ＵＥは、１つのＭｅＮＢおよび１つのＳｅＮＢに接続されてもよい。ＤＣにおいて実装される機構は、２つを上回るｅＮＢを網羅するように拡張されてもよい。図７は、マスタセルグループ（ＭＣＧ）および二次セルグループ（ＳＣＧ）が構成されるときのＵＥ側ＭＡＣエンティティのための一例示的構造を図示し、これは、実装を制限し得ない。媒体ブロードキャストマルチキャストサービス（ＭＢＭＳ）受信は、便宜上、本図には示されない。
【００４４】
ＤＣでは、特定のベアラが使用する、無線プロトコルアーキテクチャは、ベアラが設定される方法に依存し得る。図６に示されるように、ＭＣＧベアラ、ＳＣＧベアラ、および分割ベアラの３つの代替が、存在し得る。ＲＲＣは、ＭｅＮＢ内に位置してもよく、ＳＲＢは、ＭＣＧベアラタイプとして構成されてもよく、ＭｅＮＢの無線リソースを使用してもよい。ＤＣはまた、ＳｅＮＢによって提供される無線リソースを使用するように構成される少なくとも１つのベアラを有するように説明され得る。ＤＣは、本発明の例示的実施形態において構成／実装されてもよい、またはそうではなくてもよい。
【００４５】
ＤＣの場合、ＵＥは、２つのＭＡＣエンティティ、すなわち、ＭｅＮＢのための１つのＭＡＣエンティティと、ＳｅＮＢのための１つのＭＡＣエンティティとを用いて構成されてもよい。ＤＣでは、ＵＥのためのサービングセルの構成されたセットは、２つのサブセット、すなわち、ＭｅＮＢのサービングセルを含有するマスタセルグループ（ＭＣＧ）と、ＳｅＮＢのサービングセルを含有する二次セルグループ（ＳＣＧ）とを含んでもよい。ＳＣＧに関して、以下のうちの１つまたはそれを上回るものが当てはまり得る。すなわち、ＳＣＧ内の少なくとも１つのセルは、構成されたＵＬ  ＣＣを有し、ＰＳＣｅｌｌと称される（またはＳＣＧのＰＣｅｌｌもしくはＰＣｅｌｌとも呼ばれる）、それらのうちの１つは、ＰＵＣＣＨリソースを用いて構成される。ＳＣＧが構成されると、少なくとも１つのＳＣＧベアラまたは１つの分割ベアラが、存在し得る。ＰＳＣｅｌｌ上の物理層問題もしくはランダムアクセス問題の検出に応じて、またはＳＣＧと関連付けられたＲＬＣ再伝送の最大数に達すると、またはＳＣＧ追加またはＳＣＧ変更の間のＰＳＣｅｌｌ上のアクセス問題の検出に応じて、ＲＲＣ接続再確立プロシージャは、トリガされない場合があり、ＳＣＧのセルに向かうＵＬ伝送は、停止され、ＭｅＮＢは、ＵＥによってＳＣＧ障害タイプが知らされ得、分割ベアラに関しては、ＭｅＮＢを経由したＤＬデータ転送が維持される。ＲＬＣ  ＡＭベアラは、分割ベアラのために構成されてもよい。ＰＣｅｌｌのように、ＰＳＣｅｌｌは、非アクティブ化されない場合がある。ＰＳＣｅｌｌは、ＳＣＧ変更に伴って（例えば、セキュリティキー変更およびＲＡＣＨプロシージャに伴って）変更され得、および／または分割ベアラとＳＣＧベアラとの間の直接ベアラタイプ変更もしくはＳＣＧおよび分割ベアラの同時構成のいずれも、サポートされない。
【００４６】
ＭｅＮＢとＳｅＮＢとの間の相互作用に関して、以下の原理のうちの１つまたはそれを上回るものが、当てはまり得る。すなわち、ＭｅＮＢは、ＵＥのＲＲＭ測定構成を維持し得、（例えば、受信された測定報告またはトラフィック条件またはベアラタイプに基づいて）ＳｅＮＢに、ＵＥのための付加的リソース（サービングセル）を提供するように求めることを決定し得る。ＭｅＮＢからの要求の受信に応じて、ＳｅＮＢは、ＵＥのための付加的サービングセルの構成をもたらし得る、コンテナを作成し得る（またはそのために利用可能なリソースを有していないことを決定する）。ＵＥ能力協調に関して、ＭｅＮＢは、ＡＳ構成およびＵＥ能力（その一部）をＳｅＮＢに提供し得る。ＭｅＮＢおよびＳｅＮＢは、Ｘ２メッセージ内で搬送されるＲＲＣコンテナ（ノード間メッセージ）を採用することによって、ＵＥ構成についての情報を交換し得る。ＳｅＮＢは、その既存のサービングセル（例えば、ＳｅＮＢに向かうＰＵＣＣＨ）の再構成を開始し得る。ＳｅＮＢは、どのセルがＳＣＧ内のＰＳＣｅｌｌかを決定し得る。ＭｅＮＢは、ＳｅＮＢによって提供されるＲＲＣ構成のコンテンツを変更し得る。ＳＣＧ追加およびＳＣＧ  ＳＣｅｌｌ追加の場合、ＭｅＮＢは、ＳＣＧセルのための最新測定結果を提供し得る。ＭｅＮＢおよびＳｅＮＢは両方とも、ＯＡＭによって相互のＳＦＮおよびサブフレームオフセットを把握し得る（例えば、測定ギャップのＤＲＸ整合および識別の目的のために）。実施例では、新しいＳＣＧ  ＳＣｅｌｌを追加するとき、専用ＲＲＣ信号伝達が、ＳＣＧのＰＳＣｅｌｌのＭＩＢから取得されたＳＦＮを除き、ＣＡに関するセルの要求されるシステム情報を送信するために使用され得る。
【００４７】
実施形態の種々の側面のうちのいくつかによると、同一時間整合（ＴＡ）が適用されるアップリンクを有する、サービングセルは、ＴＡグループ（ＴＡＧ）内でグループ化されてもよい。１つのＴＡＧ内のサービングセルは、同一タイミング基準を使用してもよい。所与のＴＡＧに関して、ユーザ機器（ＵＥ）は、所与の時間におけるタイミング基準として、１つのダウンリンクキャリアを使用してもよい。ＵＥは、ＴＡＧのためのタイミング基準として、そのＴＡＧ内でダウンリンクキャリアを使用してもよい。所与のＴＡＧに関して、ＵＥは、同一ＴＡＧに属するアップリンクキャリアのアップリンクサブフレームおよびフレーム伝送タイミングを同期させてもよい。実施形態の種々の側面のうちのいくつかによると、同一ＴＡが適用されるアップリンクを有する、サービングセルは、同一受信機によってホストされるサービングセルに対応し得る。ＴＡグループは、アップリンクが構成された少なくとも１つのサービングセルを含んでもよい。複数のＴＡをサポートするＵＥは、２つまたはそれを上回るＴＡグループをサポートしてもよい。１つのＴＡグループは、ＰＣｅｌｌを含有してもよく、一次ＴＡＧ（ｐＴＡＧ）と呼ばれ得る。複数のＴＡＧ構成では、少なくとも１つのＴＡグループは、ＰＣｅｌｌを含有しなくてもよく、二次ＴＡＧ（ｓＴＡＧ）と呼ばれ得る。同一ＴＡグループ内のキャリアは、同一ＴＡ値および同一タイミング基準を使用してもよい。ＤＣが構成されると、セルグループ（ＭＣＧまたはＳＣＧ）に属するセルは、ｐＴＡＧおよび１つまたはそれを上回るｓＴＡＧを含む、複数のＴＡＧにグループ化されてもよい。
【００４８】
図８は、本発明の実施形態のある側面による、例示的ＴＡＧ構成を示す。実施例１では、ｐＴＡＧは、ＰＣｅｌｌを含み、ｓＴＡＧは、ＳＣｅｌｌ１を含む。実施例２では、ｐＴＡＧは、ＰＣｅｌｌおよびＳＣｅｌｌ１を含み、ｓＴＡＧは、ＳＣｅｌｌ２およびＳＣｅｌｌ３を含む。実施例３では、ｐＴＡＧは、ＰＣｅｌｌおよびＳＣｅｌｌ１を含み、ｓＴＡＧ１は、ＳＣｅｌｌ２およびＳＣｅｌｌ３を含み、ｓＴＡＧ２は、ＳＣｅｌｌ４を含む。最大４つのＴＡＧが、セルグループ（ＭＣＧまたはＳＣＧ）内でサポートされてもよく、他の例示的ＴＡＧ構成もまた、提供されてもよい。本開示における種々の実施例では、例示的機構は、ｐＴＡＧおよびｓＴＡＧに関して説明される。一例示的ｓＴＡＧに伴う動作が、説明され、同一動作は、他のｓＴＡＧにも適用可能であり得る。例示的機構は、複数のｓＴＡＧを伴う構成に適用されてもよい。
【００４９】
実施形態の種々の側面のうちのいくつかによると、ＴＡ維持、経路損失基準ハンドリング、およびｐＴＡＧのためのタイミング基準は、ＭＣＧおよび／またはＳＣＧ内では、ＬＴＥリリース１０原理に従い得る。ＵＥは、ダウンリンク経路損失を測定し、アップリンク伝送電力を計算する必要があり得る。経路損失基準は、アップリンク電力制御および／またはランダムアクセスプリアンブルの伝送のために使用されてもよい。ＵＥは、経路損失基準セル上で受信された信号を使用して、ダウンリンク経路損失を測定してもよい。ｐＴＡＧ内のＳＣｅｌｌに関して、セルに関する経路損失基準の選択肢は、以下の２つのオプションから選択される、および／またはそれに限定されてもよい。ａ）システム情報ブロック２（ＳＩＢ２）を使用して、アップリンクＳＣｅｌｌにリンクされたダウンリンクＳＣｅｌｌ、およびｂ）ダウンリンクｐＣｅｌｌ。ｐＴＡＧ内のＳＣｅｌｌに関する経路損失基準は、ＳＣｅｌｌ初期構成および／または再構成の一部として、ＲＲＣメッセージを使用して構成可能であり得る。実施形態の種々の側面のうちのいくつかによると、ＳＣｅｌｌ構成のＰｈｙｓｉｃａｌＣｏｎｆｉｇＤｅｄｉｃａｔｅｄＳＣｅｌｌ情報要素（ＩＥ）は、ｐＴＡＧ内のＳＣｅｌｌに関する経路損失基準ＳＣｅｌｌ（ダウンリンクキャリア）を含んでもよい。システム情報ブロック２（ＳＩＢ２）を使用してアップリンクＳＣｅｌｌにリンクされたダウンリンクＳＣｅｌｌは、ＳＣｅｌｌのＳＩＢ２リンクダウンリンクと称され得る。異なるＴＡＧは、異なるバンド内で動作し得る。ｓＴＡＧ内のアップリンクキャリアに関して、経路損失基準は、ＳＣｅｌｌのシステム情報ブロック２（ＳＩＢ２）を使用してアップリンクＳＣｅｌｌにリンクされたダウンリンクＳＣｅｌｌにのみ構成可能であり得る。
【００５０】
ｓＴＡＧのための初期アップリンク（ＵＬ）時間整合を得るために、ｅＮＢは、ＲＡプロシージャを開始してもよい。ｓＴＡＧでは、ＵＥは、タイミング基準セルとして、本ｓＴＡＧから任意のアクティブ化されたＳＣｅｌｌのうちの１つを使用してもよい。例示的実施形態では、ｓＴＡＧ内のＳＣｅｌｌに関するタイミング基準は、最新ＲＡプロシージャに関するプリアンブルが送信されたＳＣｅｌｌのＳＩＢ２リンクダウンリンクであってもよい。ＴＡグループあたり、１つのタイミング基準と、１つの時間整合タイマ（ＴＡＴ）とが存在してもよい。ＴＡＧのためのＴＡＴは、異なる値を用いて構成されてもよい。ＭＡＣエンティティでは、ｐＴＡＧと関連付けられたＴＡＴが満了すると、全ＴＡＴが、満了したと見なされてもよく、ＵＥは、サービングセルのＨＡＲＱバッファをフラッシュしてもよく、ＵＥは、任意の構成されたダウンリンク割当／アップリンクグラントをクリアしてもよく、ＵＥ内のＲＲＣは、全構成されたサービングセルに関するＰＵＣＣＨ／ＳＲＳを解放してもよい。ｐＴＡＧ  ＴＡＴが起動中ではないとき、ｓＴＡＧ  ＴＡＴも、起動中ではなくてもよい。ｓＴＡＧと関連付けられたＴＡＴが満了すると、ａ）ＳＲＳ伝送は、対応するＳＣｅｌｌ上で停止されてもよく、ｂ）ＳＲＳ  ＲＲＣ構成は、解放されてもよく、ｃ）対応するＳＣｅｌｌに関するＣＳＩ報告構成は、維持されてもよく、および／またはｄ）ＵＥ内のＭＡＣは、対応するＳＣｅｌｌのアップリンクＨＡＲＱバッファをフラッシュしてもよい。
【００５１】
ｅＮＢは、アクティブ化されるＳＣｅｌｌに関するＰＤＣＣＨ順序を介して、ＲＡプロシージャを開始してもよい。本ＰＤＣＣＨ順序は、本ＳＣｅｌｌのスケジューリングセル上で送信されてもよい。クロスキャリアスケジューリングがセルのために構成されるとき、スケジューリングセルは、プリアンブル伝送のために採用されるセルと異なってもよく、ＰＤＣＣＨ順序は、ＳＣｅｌｌインデックスを含んでもよい。少なくとも非競合ベースのＲＡプロシージャが、ｓＴＡＧに割り当てられるＳＣｅｌｌのためにサポートされてもよい。
【００５２】
図９は、本発明の実施形態のある側面による、二次ＴＡＧ内のランダムアクセスプロセスにおける例示的メッセージフローである。ｅＮＢは、アクティブ化コマンド６００を伝送し、ＳＣｅｌｌをアクティブ化する。プリアンブル６０２（Ｍｓｇ１）が、ｓＴＡＧに属するＳＣｅｌｌ上のＰＤＣＣＨ順序６０１に応答して、ＵＥによって送信されてもよい。例示的実施形態では、ＳＣｅｌｌに関するプリアンブル伝送は、ＰＤＣＣＨフォーマット１Ａを使用して、ネットワークによって制御されてもよい。ＳＣｅｌｌ上のプリアンブル伝送に応答したＭｓｇ２メッセージ６０３（ＲＡＲ：ランダムアクセス応答）は、ＰＣｅｌｌ共通検索空間（ＣＳＳ）内のＲＡ−ＲＮＴＩにアドレス指定されてもよい。アップリンクパケット６０４は、プリアンブルが伝送されたＳＣｅｌｌ上で伝送されてもよい。
【００５３】
実施形態の種々の側面のうちのいくつかによると、初期タイミング整合は、ランダムアクセスプロシージャを通して達成されてもよい。これは、ＵＥがランダムアクセスプリアンブルを伝送し、ｅＮＢがランダムアクセス応答ウィンドウ内で初期ＴＡコマンドＮＴＡ（タイミングアドバンスの量）に応答することを伴い得る。ランダムアクセスプリアンブルの開始は、ＮＴＡ＝０をとるＵＥでは、対応するアップリンクサブフレームの開始と整合され得る。ｅＮＢは、ＵＥによって伝送されるランダムアクセスプリアンブルからアップリンクタイミングを推定してもよい。ＴＡコマンドは、所望のＵＬタイミングと実際のＵＬタイミングとの間の差異の推定に基づいて、ｅＮＢによって導出されてもよい。ＵＥは、プリアンブルが伝送されるｓＴＡＧの対応するダウンリンクに対して初期アップリンク伝送タイミングを判定してもよい。
【００５４】
ＴＡＧへのサービングセルのマッピングは、サービングｅＮＢによって、ＲＲＣ信号伝達を用いて構成されてもよい。ＴＡＧ構成および再構成のための機構は、ＲＲＣ信号伝達に基づいてもよい。実施形態の種々の側面のうちのいくつかによると、ｅＮＢがＳＣｅｌｌ追加構成を行うとき、関連ＴＡＧ構成が、ＳＣｅｌｌのために構成されてもよい。例示的実施形態では、ｅＮＢは、ＳＣｅｌｌを除去（解放）し、更新されたＴＡＧ  ＩＤを用いて新しいＳＣｅｌｌを追加（構成）する（同一物理セルＩＤおよび周波数を用いて）ことによって、ＳＣｅｌｌのＴＡＧ構成を修正してもよい。更新されたＴＡＧ  ＩＤを伴う新しいＳＣｅｌｌは、最初に、更新されたＴＡＧ  ＩＤが割り当てられた後、非アクティブであってもよい。ｅＮＢは、更新された新しいＳＣｅｌｌをアクティブ化し、アクティブ化されたＳＣｅｌｌ上でスケジューリングパケットを始動させてもよい。例示的実装では、ＳＣｅｌｌと関連付けられたＴＡＧを変更することは可能ではない場合があり、むしろ、ＳＣｅｌｌは、除去される必要があり得、新しいＳＣｅｌｌが、別のＴＡＧと追加される必要があり得る。例えば、ＳＣｅｌｌをｓＴＡＧからｐＴＡＧに移動させる必要がある場合、少なくとも１つのＲＲＣメッセージ、例えば、少なくとも１つのＲＲＣ再構成メッセージが、ＵＥに送信され、ＳＣｅｌｌを解放することによって、ＴＡＧ構成を再構成し、次いで、ＳＣｅｌｌをｐＴＡＧの一部として構成してもよい（ＳＣｅｌｌが、ＴＡＧインデックスを伴わずに追加／構成されるとき、ＳＣｅｌｌは、ｐＴＡＧに明示的に割り当てられてもよい）。ＰＣｅｌｌは、そのＴＡグループを変更し得ず、常時、ｐＴＡＧのメンバであり得る。
【００５５】
ＲＲＣ接続再構成プロシージャの目的は、ＲＲＣ接続を修正する（例えば、ＲＢを確立、修正、および／または解放する、ハンドオーバを行う、測定を設定、修正、および／または解放する、ＳＣｅｌｌを追加、修正、および／または解放する）ことであり得る。受信されたＲＲＣ接続再構成メッセージが、ｓＣｅｌｌＴｏＲｅｌｅａｓｅＬｉｓｔを含む場合、ＵＥは、ＳＣｅｌｌ解放を行ってもよい。受信されたＲＲＣ接続再構成メッセージが、ｓＣｅｌｌＴｏＡｄｄＭｏｄＬｉｓｔを含む場合、ＵＥは、ＳＣｅｌｌ追加または修正を行ってもよい。
【００５６】
ＬＴＥリリース−１０およびリリース−１１ＣＡでは、ＰＵＣＣＨは、ＰＣｅｌｌ（ＰＳＣｅｌｌ）上のみｅＮＢに伝送される。ＬＴＥ−リリース１２およびそれ以前では、ＵＥは、ＰＵＣＣＨ情報を１つのセル（ＰＣｅｌｌまたはＰＳＣｅｌｌ）上で所与のｅＮＢに伝送し得る。
【００５７】
ＣＡ対応ＵＥの数、また、アグリゲーションされたキャリアの数が増加するにつれて、ＰＵＣＣＨの数、また、ＰＵＣＣＨペイロードサイズも、増加し得る。ＰＣｅｌｌ上のＰＵＣＣＨ伝送への対応は、ＰＣｅｌｌ上の高ＰＵＣＣＨ負荷につながり得る。ＳＣｅｌｌ上のＰＵＣＣＨは、ＰＵＣＣＨリソースをＰＣｅｌｌからオフロードするために導入されてもよい。１つを上回るＰＵＣＣＨ、例えば、ＰＣｅｌｌ上のＰＵＣＣＨおよびＳＣｅｌｌ上の別のＰＵＣＣＨが、構成されてもよい。図１０は、本発明の実施形態のある側面による、ＰＵＣＣＨグループへのセルの例示的グループ化である。例示的実施形態では、１つ、２つ、またはそれを上回るセルが、ＣＳＩ／ＡＣＫ／ＮＡＣＫを基地局に伝送するために、ＰＵＣＣＨリソースを用いて構成されてもよい。セルは、複数のＰＵＣＣＨグループにグループ化されてもよく、グループ内の１つまたはそれを上回るセルが、ＰＵＣＣＨを用いて構成されてもよい。例示的構成では、１つのＳＣｅｌｌが、１つのＰＵＣＣＨグループに属してもよい。構成されたＰＵＣＣＨが基地局に伝送される、ＳＣｅｌｌは、ＰＵＣＣＨ  ＳＣｅｌｌと呼ばれ得、共通ＰＵＣＣＨリソースが同一基地局に伝送される、セルグループは、ＰＵＣＣＨグループと呼ばれ得る。
【００５８】
リリース−１２では、ＰＵＣＣＨは、ＰＣｅｌｌおよび／またはＰＳＣｅｌｌ上で構成されることができるが、他のＳＣｅｌｌ上では構成されることができない。例示的実施形態では、ＵＥは、ＵＥがＰＣｅｌｌおよびＳＣｅｌｌ上でのＰＵＣＣＨ構成をサポートすることを示す、メッセージを伝送してもよい。そのようなインジケーションは、ＵＥによるデュアルコネクティビティサポートのインジケーションと別個であってもよい。例示的実施形態では、ＵＥは、ＤＣおよびＰＵＣＣＨグループの両方をサポートしてもよい。例示的実施形態では、両方ではなく、ＤＣまたはＰＵＣＣＨグループのいずれかが、構成されてもよい。別の例示的実施形態では、ＤＣおよびＰＵＣＣＨグループの両方を含む、より複雑な構成が、サポートされてもよい。
【００５９】
ＵＥが、ＰＵＣＣＨグループを構成可能であるとき、かつＵＥが、同時ＰＵＣＣＨ／ＰＵＳＣＨ伝送能力をサポートすることを示す場合、ＵＥがＰＣｅｌｌおよびＳＣｅｌｌの両方上で同時ＰＵＣＣＨ／ＰＵＳＣＨ伝送をサポートすることを含意し得る。複数のＰＵＣＣＨグループが構成されるとき、ＰＵＣＣＨは、同時ＰＵＣＣＨ／ＰＵＳＣＨ伝送を用いて構成されてもよい、またはそうではなくてもよい。
【００６０】
例示的実施形態では、２つのサービングセル上の基地局へのＰＵＣＣＨ伝送は、図１０に示されるように、実現されてもよい。セルの第１のグループは、ＰＣｅｌｌ上でＰＵＣＣＨを採用してもよく、ＰＵＣＣＨグループ１または一次ＰＵＣＣＨグループと呼ばれ得る。セルの第２のグループは、ＳＣｅｌｌ上でＰＵＣＣＨを採用してもよく、ＰＵＣＣＨグループ２または二次ＰＵＣＣＨグループと呼ばれ得る。１つ、２つ、またはそれを上回るＰＵＣＣＨグループが、構成されてもよい。実施例では、セルは、２つのＰＵＣＣＨグループにグループ化されてもよく、各ＰＵＣＣＨグループは、ＰＵＣＣＨリソースを用いるセルを含んでもよい。ＰＣｅｌｌは、一次ＰＵＣＣＨグループのためのＰＵＣＣＨリソースを提供してもよく、二次ＰＵＣＣＨグループ内のＳＣｅｌｌは、二次ＰＵＣＣＨグループ内のセルのためのＰＵＣＣＨリソースを提供してもよい。例示的実施形態では、異なるＰＵＣＣＨグループ内のセル間のクロスキャリアスケジューリングは、構成されなくてもよい。異なるＰＵＣＣＨグループ内のセル間のクロスキャリアスケジューリングが構成されないとき、ＰＨＩＣＨチャネル上のＡＣＫ／ＮＡＣＫは、ＰＵＣＣＨグループ内に限定されてもよい。ダウンリンクおよびアップリンクスケジューリングアクティビティは両方とも、異なるＰＵＣＣＨグループに属するセル間で別個であってもよい。
【００６１】
ＳＣｅｌｌ上のＰＵＣＣＨは、ＨＡＲＱ−ＡＣＫおよびＣＳＩ情報を搬送してもよい。ＰＣｅｌｌは、ＰＵＣＣＨリソースを用いて構成されてもよい。例示的実施形態では、ＳＣｅｌｌ上のＰＵＣＣＨのためのＳＣｅｌｌ  ＰＵＣＣＨ電力制御に関するＲＲＣパラメータは、ＰＣｅｌｌ  ＰＵＣＣＨのものと異なり得る。ＳＣｅｌｌ上のＰＵＣＣＨのための電力制御コマンドの伝送は、ＰＵＣＣＨを搬送するＳＣｅｌｌ上のＤＣＩ内で伝送されてもよい。
【００６２】
ＰＵＣＣＨ伝送に関するＵＥプロシージャは、ＰＵＣＣＨグループ間で異なる、および／または独立し得る。例えば、ＤＬ  ＨＡＲＱ−ＡＣＫタイミングの判定、ＨＡＲＱ−ＡＣＫおよび／またはＣＳＩのためのＰＵＣＣＨリソース判定、ＰＵＣＣＨ上の同時ＨＡＲＱ−ＡＣＫ＋ＣＳＩの高次層構成、１つのサブフレーム内の同時ＨＡＲＱ−ＡＣＫ＋ＳＲＳの高次層構成は、ＰＵＣＣＨ  ＰＣｅｌｌおよびＰＵＣＣＨ  ＳＣｅｌｌに関して異なるように構成されてもよい。
【００６３】
ＰＵＣＣＨグループは、ＲＲＣによって構成されたサービングセルのグループであって、ＰＵＣＣＨの伝送のために、グループ内の同一サービングセルを使用してもよい。一次ＰＵＣＣＨグループは、ＰＣｅｌｌを含有するＰＵＣＣＨグループであってもよい。二次ＰＵＣＣＨグループは、ＰＣｅｌｌを含有しないＰＵＣＣＨセルグループであってもよい。例示的実施形態では、ＳＣｅｌｌは、１つのＰＵＣＣＨグループに属してもよい。１つのＳＣｅｌｌがＰＵＣＣＨグループに属するとき、そのＳＣｅｌｌのためのＡＣＫ／ＮＡＣＫまたはＣＳＩは、そのＰＵＣＣＨグループ内のＰＵＣＣＨを経由して（ＰＵＣＣＨ  ＳＣｅｌｌまたはＰＵＣＣＨ  ＰＣｅｌｌを経由して）伝送されてもよい。ＳＣｅｌｌ上のＰＵＣＣＨは、ＰＣｅｌｌ上のＰＵＣＣＨ負荷を低減させ得る。ＰＵＣＣＨ  ＳＣｅｌｌは、対応するＰＵＣＣＨグループ内のＳＣｅｌｌのＵＣＩ伝送のために採用されてもよい。
【００６４】
例示的実施形態では、１つ、２つ、またはそれを上回るＰＵＣＣＨ上で送信される信号伝達を制御する、柔軟性のあるＰＵＣＣＨ構成が、可能となり得る。ＰＣｅｌｌに加え、ＰＵＣＣＨ伝送のための選択された数のＳＣｅｌｌ（本明細書ではＰＵＣＣＨ  ＳＣｅｌｌと呼ばれる）を構成することが可能であり得る。あるＰＵＣＣＨ  ＳＣｅｌｌ内で伝達される制御信号伝達情報は、ＲＲＣ信号伝達を介してネットワークによって構成される、対応するＰＵＣＣＨグループ内のＳＣｅｌｌのセットに関連してもよい。
【００６５】
ＰＵＣＣＨチャネルによって搬送されるＰＵＣＣＨ制御信号伝達は、オフロードまたはロバスト性目的のために、ＰＣｅｌｌとＳＣｅｌｌとの間で分散されてもよい。ＳＣｅｌｌ内のＰＵＣＣＨをイネーブルにすることによって、所与のＵＥに関する全体的ＣＳＩ報告をＰＣｅｌｌと選択された数のＳＣｅｌｌ（例えば、ＰＵＣＣＨ  ＳＣｅｌｌ）との間で分散させ、それによって、あるセル上の所与のＵＥによるＰＵＣＣＨ  ＣＳＩリソース消費を限定することが可能であり得る。あるＳＣｅｌｌに関するＣＳＩ報告を選択されたＰＵＣＣＨ  ＳＣｅｌｌにマップすることが可能であり得る。ＳＣｅｌｌは、制御情報の伝送のためのある周期性および時間オフセットが割り当てられてもよい。サービングセルに関する周期的ＣＳＩは、ＲＲＣ信号伝達を介して、ＰＵＣＣＨ上（ＰＣｅｌｌまたはＰＵＣＣＨ−ＳＣｅｌｌ上）にマップされてもよい。ＣＳＩ報告分散、ＨＡＲＱフィードバック、および／またはＰＵＣＣＨ  ＳＣｅｌｌを横断したスケジューリング要求の可能性は、柔軟性および能力改良を提供し得る。サービングセルに関するＨＡＲＱフィードバックは、ＲＲＣ信号伝達を介して、ＰＵＣＣＨ上（ＰＣｅｌｌまたはＰＵＣＣＨ  ＳＣｅｌｌ上）にマップされてもよい。
【００６６】
例示的実施形態では、ＰＵＣＣＨ伝送は、ＰＣｅｌｌならびにＣＡ内の１つのＳＣｅｌｌ上で構成されてもよい。ＳＣｅｌｌ  ＰＵＣＣＨは、ＰＵＣＣＨグループの概念を使用して実現されてもよく、アグリゲーションされたセルは、２つまたはそれを上回るＰＵＣＣＨグループにグループ化される。ＰＵＣＣＨグループからの１つのセルは、ＰＵＣＣＨを搬送するように構成されてもよい。５つを上回るキャリアが、構成されてもよい。例示的実施形態では、最大ｎ個のキャリアが、アグリゲーションされてもよい。例えば、ｎは、１６、３２、または６４であってもよい。いくつかのＣＣは、高度ＵＥのみをサポートする（例えば、認可支援アクセスＳＣｅｌｌをサポートする）非下位互換性構成を有してもよい。例示的実施形態では、１つのＳＣｅｌｌＰＵＣＣＨ（例えば、２つのＰＵＣＣＨグループ）が、サポートされてもよい。別の例示的実施形態では、ＰＵＣＣＨを搬送する複数の（１つを上回る）ＳＣｅｌｌを用いるＰＵＣＣＨグループ概念が、採用されてもよい（例えば、２つを上回るＰＵＣＣＨグループが存在することができる）。
【００６７】
例示的実施形態では、所与のＰＵＣＣＨグループは、ＭＣＧおよびＳＣＧの両方のサービングセルを含まなくてもよい。ＰＵＣＣＨのうちの１つは、ＰＣｅｌｌ上に構成されてもよい。例示的実施形態では、サービングセルのＰＵＣＣＨマッピングが、ＲＲＣメッセージによって構成されてもよい。例示的実施形態では、ＳＣｅｌｌＩｎｄｅｘおよびＳｅｒｖＣｅｌｌＩｎｄｅｘの最大値は、３１（０〜３１）であってもよい。実施例では、ｓｔａｇ−Ｉｄの最大値は、３であってもよい。スケジューリングされたセルに関するＣＩＦは、明示的に構成されてもよい。ＰＵＣＣＨ  ＳＣｅｌｌは、ＳＣｅｌｌに関するＰＵＣＣＨ構成を与えることによって構成されてもよい。ＰＵＣＣＨ  ＳＣｅｌｌのＨＡＲＱフィードバックおよびＣＳＩ報告は、そのＰＵＣＣＨ  ＳＣｅｌｌのＰＵＣＣＨ上で送信されてもよい。ＳＣｅｌｌのＨＡＲＱフィードバックおよびＣＳＩ報告は、ＰＵＣＣＨ  ＳＣｅｌｌがそのＳＣｅｌｌに関して信号伝達されない場合、ＰＣｅｌｌのＰＵＣＣＨ上で送信されてもよい。ＳＣｅｌｌのＨＡＲＱフィードバックおよびＣＳＩ報告は、１つのＰＵＣＣＨ  ＳＣｅｌｌのＰＵＣＣＨ上で送信されてもよい。故に、それらは、異なるＰＵＣＣＨ  ＳＣｅｌｌのＰＵＣＣＨ上で送信されなくてもよい。ＵＥは、ＰＵＣＣＨを用いて構成されたサービングセルに関してタイプ２ＰＨを報告してもよい。例示的実施形態では、ＭＡＣアクティブ化／非アクティブ化は、ＰＵＣＣＨ  ＳＣｅｌｌのためにサポートされてもよい。ｅＮＢは、ＳＣｅｌｌに関するアクティブ化／非アクティブ化ステータスを管理してもよい。新しく追加されたＰＵＣＣＨ  ＳＣｅｌｌは、最初に、非アクティブ化されてもよい。
【００６８】
例示的実施形態では、ＰＵＣＣＨグループおよびＴＡＧの独立構成が、サポートされてもよい。図１１および図１２は、ＴＡＧおよびＰＵＣＣＨグループの例示的構成を示す。例えば、１つのＴＡＧは、ＰＵＣＣＨを用いる複数のサービングセルを含有してもよい。例えば、各ＴＡＧは、１つのＰＵＣＣＨグループのセルのみを含んでもよい。例えば、ＴＡＧは、異なるＰＵＣＣＨグループに属するサービングセル（ＰＵＣＣＨを用いない）を含んでもよい。
【００６９】
ＴＡＧとＰＵＣＣＨグループとの間の１対１マッピングが、存在しなくてもよい。例えば、ある構成では、ＰＵＣＣＨ  ＳＣｅｌｌは、一次ＴＡＧに属してもよい。例示的実装では、１つのＰＵＣＣＨグループのサービングセルは、異なるＴＡＧ内にあってもよく、１つのＴＡＧのサービングセルは、異なるＰＵＣＣＨグループ内にあってもよい。ＰＵＣＣＨグループおよびＴＡＧの構成は、ｅＮＢ実装に任されてもよい。別の実施例実装では、ＰＵＣＣＨセルの構成における制限が、規定されてもよい。例えば、例示的実施形態では、所与のＰＵＣＣＨグループ内のセルは、同一ＴＡＧに属してもよい。実施例では、ｓＴＡＧは、１つのＰＵＣＣＨグループのセルのみを含んでもよい。実施例では、ＴＡＧとＰＵＣＣＨグループとの間の１対１マッピングが、実装されてもよい。実装では、セル構成は、実施例のうちのいくつかに限定されてもよい。他の実装では、以下の構成の一部または全部が、可能にされてもよい。
【００７０】
例示的実施形態では、ｐＴＡＧ内のＳＣｅｌｌに関して、タイミング基準は、ＰＣｅｌｌであってもよい。ｓＴＡＧ内のＳＣｅｌｌに関して、タイミング基準は、ｓＴＡＧ内の任意のアクティブ化されたＳＣｅｌｌであってもよい。ｐＴＡＧ内のＳＣｅｌｌ（ＰＵＣＣＨを用いて構成されるかどうかにかかわらず）に関して、経路損失基準は、ＰＣｅｌｌまたはＳＩＢ−２リンクＳＣｅｌｌとなるように構成されてもよい。ｓＴＡＧ内のＳＣｅｌｌに関して、経路損失基準は、ＳＩＢ−２リンクＳＣｅｌｌであってもよい。ｐＴＡＧと関連付けられたＴＡＴが満了すると、ｓＴＡＧと関連付けられたＴＡＴは、満了したと見なされ得る。ＰＵＣＣＨ  ＳＣｅｌｌを含有するｓＴＡＧのＴＡＴが満了すると、ＭＡＣは、ＲＲＣに、ＰＵＣＣＨグループのためのＰＵＣＣＨリソースを解放することを示してもよい。ＰＵＣＣＨ  ＳＣｅｌｌを含有するｓＴＡＧのＴＡＴが、起動中ではないとき、ＰＵＣＣＨ  ＳＣｅｌｌを含むｓＴＡＧに属さない二次ＰＵＣＣＨグループ内のＳＣｅｌｌに関するアップリンク伝送（ＰＵＳＣＨ）は、影響され得ない。ＰＵＣＣＨ  ＳＣｅｌｌを含有するｓＴＡＧのＴＡＴ満了は、同一ＰＵＣＣＨグループ内の他のＳＣｅｌｌが属する他のＴＡＧのＴＡＴ満了をトリガし得ない。ＰＵＣＣＨ  ＳＣｅｌｌを含有しないｓＴＡＧと関連付けられたＴＡＴが、起動中ではないとき、無線デバイスは、ｓＴＡＧ内のＳＣｅｌｌに関するアップリンク伝送を停止してもよく、他のＴＡＧに影響し得ない。
【００７１】
例示的実施形態では、ＭＡＣエンティティは、ＴＡＧあたりで構成可能なタイマｔｉｍｅＡｌｉｇｈｎｍｅｎｔＴｉｍｅｒを有してもよい。ｔｉｍｅＡｌｉｇｈｎｍｅｎｔＴｉｍｅｒは、ＭＡＣエンティティがアップリンク時間整合されるべき関連付けられたＴＡＧに属するサービングセルを考慮する時間の長さを制御するために使用されてもよい。ＭＡＣエンティティは、タイミングアドバンスコマンドＭＡＣ制御要素が受信されると、示されるＴＡＧのためのタイミングアドバンスコマンドを適用し、示されるＴＡＧと関連付けられたｔｉｍｅＡｌｉｇｈｎｍｅｎｔＴｉｍｅｒを始動または再始動させてもよい。ＭＡＣエンティティは、タイミングアドバンスコマンドが、ＴＡＧに属するサービングセルのためのランダムアクセス応答メッセージ内で受信されると、および／またはランダムアクセスプリアンブルが、ＭＡＣエンティティによって選択されなかった場合、本ＴＡＧのためのタイミングアドバンスコマンドを適用し、本ＴＡＧと関連付けられたｔｉｍｅＡｌｉｇｈｎｍｅｎｔＴｉｍｅｒを始動または再始動させてもよい。そうでなければ、本ＴＡＧと関連付けられたｔｉｍｅＡｌｉｇｈｎｍｅｎｔＴｉｍｅｒが起動中ではない場合、本ＴＡＧのためのタイミングアドバンスコマンドは、適用され、本ＴＡＧと関連付けられたｔｉｍｅＡｌｉｇｈｎｍｅｎｔＴｉｍｅｒが始動されてもよい。競合解決が、成功ではないと見なされると、本ＴＡＧと関連付けられたｔｉｍｅＡｌｉｇｈｎｍｅｎｔＴｉｍｅｒは、停止されてもよい。そうでなければ、ＭＡＣエンティティは、受信されたタイミングアドバンスコマンドを無視してもよい。
【００７２】
本発明の例示的実施形態は、複数のＰＵＣＣＨグループの動作をイネーブルにしてもよい。他の例示的実施形態は、ＰＵＣＣＨグループの動作を生じさせるように１つまたはそれを上回るプロセッサによって実行可能な命令を含む、非一過性有形コンピュータ可読媒体を含んでもよい。さらに他の例示的実施形態は、プログラマブルハードウェアをイネーブルにし、デバイス（例えば、無線通信機、ＵＥ、基地局等）にＰＵＣＣＨグループの動作を可能にさせるためのその上にエンコードされた命令を有する、非一過性有形コンピュータ可読機械アクセス可能媒体を備える、製造品を含んでもよい。デバイスは、プロセッサ、メモリ、インターフェース、および／または同等物を含んでもよい。他の例示的実施形態は、基地局、無線デバイス（またはユーザ機器：ＵＥ）、サーバ、スイッチ、アンテナ、および／または同等物等のデバイスを備える、通信ネットワークを含んでもよい。例示的実施形態では、１つまたはそれを上回るＴＡＧは、ＰＵＣＣＨグループ構成とともに構成されてもよい。
【００７３】
図１３は、本発明の実施形態のある側面による、例示的ＭＡＣ  ＰＤＵである。例示的実施形態では、ＭＡＣ  ＰＤＵは、ＭＡＣヘッダと、ゼロまたはそれを上回るＭＡＣサービスデータユニット（ＭＡＣ  ＳＤＵ）と、ゼロまたはそれを上回るＭＡＣ制御要素と、随意に、パディングとを含んでもよい。ＭＡＣヘッダおよびＭＡＣ  ＳＤＵは、可変サイズであってもよい。ＭＡＣ  ＰＤＵヘッダは、１つまたはそれを上回るＭＡＣ  ＰＤＵサブヘッダを含んでもよい。サブヘッダは、ＭＡＣ  ＳＤＵ、ＭＡＣ制御要素、またはパディングのいずれかに対応してもよい。ＭＡＣ  ＰＤＵサブヘッダは、ヘッダフィールドＲ、Ｆ２、Ｅ、ＬＣＩＤ、Ｆ、および／またはＬを含んでもよい。ＭＡＣ  ＰＤＵ内の最後のサブヘッダおよび固定サイズのＭＡＣ制御要素のためのサブヘッダは、４つのヘッダフィールドＲ、Ｆ２、Ｅ、および／またはＬＣＩＤを含んでもよい。パディングに対応するＭＡＣ  ＰＤＵサブヘッダは、４つのヘッダフィールドＲ、Ｆ２、Ｅ、および／またはＬＣＩＤを含んでもよい。
【００７４】
例示的実施形態では、ＬＣＩＤまたは論理チャネルＩＤフィールドは、対応するＭＡＣ  ＳＤＵの論理チャネルインスタンスまたは対応するＭＡＣ制御要素もしくはパディングのタイプを識別してもよい。ＭＡＣ  ＳＤＵのための１つのＬＣＩＤフィールド、ＭＡＣ制御要素、またはＭＡＣ  ＰＤＵ内に含まれるパディングが、存在してもよい。これに加え、１つまたは２つの付加的ＬＣＩＤフィールドが、単一バイトまたは２バイトパディングが要求されるが、ＭＡＣ  ＰＤＵの最後にパディングによって達成されることができないとき、ＭＡＣ  ＰＤＵ内に含まれてもよい。ＬＣＩＤフィールドサイズは、例えば、５ビットであってもよい。Ｌまたは長さフィールドは、対応するＭＡＣ  ＳＤＵまたは可変サイズのＭＡＣ制御要素の長さをバイトで示してもよい。固定サイズのＭＡＣ制御要素に対応する最後のサブヘッダおよびサブヘッダを除き、ＭＡＣ  ＰＤＵサブヘッダあたり１つのＬフィールドが、存在してもよい。Ｌフィールドのサイズは、ＦフィールドおよびＦ２フィールドによって示されてもよい。Ｆまたはフォーマットフィールドは、長さフィールドのサイズを示してもよい。固定サイズのＭＡＣ制御要素に対応する最後のサブヘッダおよびサブヘッダを除き、かつＦ２が１に設定されるときを除き、ＭＡＣ  ＰＤＵサブヘッダあたり１つのＦフィールドが、存在してもよい。Ｆフィールドのサイズは、１ビットであってもよい。実施例では、Ｆフィールドが含まれる場合、および／またはＭＡＣ  ＳＤＵまたは可変サイズのＭＡＣ制御要素のサイズが１２８バイト未満である場合、Ｆフィールドの値は、０に設定され、そうでなければ、１に設定される。Ｆ２またはフォーマット２フィールドは、長さフィールドのサイズを示し得る。ＭＡＣ  ＰＤＵサブヘッダあたり１つのＦ２フィールドが、存在してもよい。Ｆ２フィールドのサイズは、１ビットであってもよい。実施例では、ＭＡＣ  ＳＤＵまたは可変サイズのＭＡＣ制御要素のサイズが、３２７６７バイトより大きい場合、かつ対応するサブヘッダが、最後のサブヘッダではない場合、Ｆ２フィールドの値は、１に設定されてもよく、そうでなければ、０に設定される。Ｅまたは拡張フィールドは、さらなるフィールドがＭＡＣヘッダ内に存在するかどうかを示す、フラグであってもよい。Ｅフィールドは、「１」に設定され、少なくともＲ／Ｆ２／Ｅ／ＬＣＩＤフィールドの別のセットを示してもよい。Ｅフィールドは、「０」に設定され、ＭＡＣ  ＳＤＵ、ＭＡＣ制御要素、またはパディングのいずれかが次のバイトで開始することを示してもよい。Ｒまたは反転ビットは、「０」に設定される。
【００７５】
ＭＡＣ  ＰＤＵサブヘッダは、対応するＭＡＣ  ＳＤＵ、ＭＡＣ制御要素、およびパディングと同一順序を有してもよい。ＭＡＣ制御要素は、任意のＭＡＣ  ＳＤＵの前に置かれてもよい。パディングは、単一バイトまたは２バイトパディングが要求されるとき以外、ＭＡＣ  ＰＤＵの最後に生じ得る。パディングは、任意の値を有してもよく、ＭＡＣエンティティは、それを無視してもよい。パディングがＭＡＣ  ＰＤＵの最後に行われるとき、ゼロまたはそれを上回るパディングバイトが、許可されてもよい。単一バイトまたは２バイトパディングが要求されるとき、パディングに対応する１つまたは２つのＭＡＣ  ＰＤＵサブヘッダが、任意の他のＭＡＣ  ＰＤＵサブヘッダの前のＭＡＣ  ＰＤＵの開始に置かれてもよい。実施例では、最大１つのＭＡＣ  ＰＤＵが、ＭＡＣエンティティあたりのＴＢにつき伝送されてもよく、最大１つのＭＣＨ  ＭＡＣ  ＰＤＵが、ＴＴＩあたり伝送されてもよい。
【００７６】
少なくとも１つのＲＲＣメッセージは、少なくとも１つのセルのための構成パラメータと、ＰＵＣＣＨグループのための構成パラメータとを提供してもよい。１つまたはそれを上回るＲＲＣメッセージ内の情報要素は、構成されたセルとＰＵＣＣＨ  ＳＣｅｌｌとの間のマッピングを提供してもよい。セルは、複数のセルグループにグループ化されてもよく、セルは、構成されたＰＵＣＣＨグループのうちの１つに割り当てられてもよい。ＰＵＣＣＨグループと構成されたＰＵＣＣＨリソースを用いるセルとの間には、１対１関係が存在してもよい。少なくとも１つのＲＲＣメッセージは、ＳＣｅｌｌとＰＵＣＣＨグループとの間のマッピングと、ＰＵＣＣＨ  ＳＣｅｌｌ上のＰＵＣＣＨ構成とを提供してもよい。
【００７７】
ＳＣｅｌｌに関するシステム情報（共通パラメータ）は、専用ＲＲＣメッセージにおいてＲａｄｉｏＲｅｓｏｕｒｃｅＣｏｎｆｉｇＣｏｍｍｏｎＳＣｅｌｌ内で搬送されてもよい。ＰＵＣＣＨ関連情報のうちのいくつかは、ＳＣｅｌｌの共通情報内（例えば、ＲａｄｉｏＲｅｓｏｕｒｃｅＣｏｎｆｉｇＣｏｍｍｏｎＳＣｅｌｌ内）に含まれてもよい。ＳＣｅｌｌおよびＰＵＣＣＨリソースの専用構成パラメータは、例えば、ＲａｄｉｏＲｅｓｏｕｒｃｅＣｏｎｆｉｇＤｅｄｉｃａｔｅｄＳＣｅｌｌを使用して、専用ＲＲＣ信号伝達によって構成されてもよい。
【００７８】
ＩＥ  ＰＵＣＣＨ−ＣｏｎｆｉｇＣｏｍｍｏｎおよびＩＥ  ＰＵＣＣＨ−ＣｏｎｆｉｇＤｅｄｉｃａｔｅｄは、それぞれ、共通およびＵＥ特有ＰＵＣＣＨ構成を規定するために使用されてもよい。
【００７９】
実施例では、ＰＵＣＣＨ−ＣｏｎｆｉｇＣｏｍｍｏｎは、ｄｅｌｔａＰＵＣＣＨ−Ｓｈｉｆｔ：ＥＮＵＭＥＲＡＴＥＤ｛ｄｓ１、ｄｓ２、ｄｓ３｝、ｎＲＢ−ＣＱＩ：ＩＮＴＥＧＥＲ（０．．９８）；ｎＣＳ−ＡＮ：ＩＮＴＥＧＥＲ（０．．７）、および／またはｎ１ＰＵＣＣＨ−ＡＮ：ＩＮＴＥＧＥＲ（０．．２０４７）を含んでもよい。パラメータ
【化１】
0006319862.tif 000002
は、ＰＵＣＣＨの物理層パラメータであってもよい。
【００８０】
ＰＵＣＣＨ−ＣｏｎｆｉｇＤｅｄｉｃａｔｅｄが、採用されてもよい。ＰＵＣＣＨ−ＣｏｎｆｉｇＤｅｄｉｃａｔｅｄは、ａｃｋＮａｃｋＲｅｐｅｔｉｔｉｏｎＣＨＯＩＣＥ｛ｒｅｌｅａｓｅ：ＮＵＬＬ，ｓｅｔｕｐ：ＳＥＱＵＥＮＣＥ｛ｒｅｐｅｔｉｔｉｏｎＦａｃｔｏｒ：ＥＮＵＭＥＲＡＴＥＤ｛ｎ２，ｎ４，ｎ６，ｓｐａｒｅ１｝、ｎ１ＰＵＣＣＨ−ＡＮ−Ｒｅｐ：ＩＮＴＥＧＥＲ（０．．２０４７）｝｝、ｔｄｄ−ＡｃｋＮａｃｋＦｅｅｄｂａｃｋＭｏｄｅ：ＥＮＵＭＥＲＡＴＥＤ｛ｂｕｎｄｌｉｎｇ，ｍｕｌｔｉｐｌｅｘｉｎｇ｝ＯＰＴＩＯＮＡＬ｝を含んでもよい。ａｃｋＮａｃｋＲｅｐｅｔｉｔｉｏｎｊパラメータは、ＡＣＫ／ＮＡＣＫ反復が構成されるかどうかを示す。ｎ２は、ｒｅｐｅｔｉｔｏｎＦａｃｏｒパラメータ
【化２】
0006319862.tif 000003
に関する反復係数２に対応し、ｎ４は、４に対応する。ｎ１ＰＵＣＣＨ−ＡＮ−Ｒｅｐパラメータは、アンテナポートＰ０およびアンテナポートＰ１に関する
【化３】
0006319862.tif 000004
であってもよい。ｄｄ−ＡｃｋＮａｃｋＦｅｅｄｂａｃｋＭｏｄｅパラメータは、使用されるＴＤＤ  ＡＣＫ／ＮＡＣＫフィードバックモードのうちの１つを示してもよい。値ｂｕｎｄｌｉｎｇは、ＡＣＫ／ＮＡＣＫバンドリングの使用に対応し得る一方、値ｍｕｌｔｉｐｌｅｘｉｎｇは、ＡＣＫ／ＮＡＣＫ多重化に対応し得る。同一値が、ＰＵＣＣＨならびにＰＵＳＣＨ上のＡＣＫ／ＮＡＣＫフィードバックモードの両方に適用されてもよい。
【００８１】
パラメータＰＵＣＣＨ−ＣｏｎｆｉｇＤｅｄｉｃａｔｅｄは、同時ＰＵＣＣＨおよびＰＵＳＣＨ伝送が構成されるかどうかを示す、同時ＰＵＣＣＨ−ＰＵＳＣＨパラメータを含んでもよい。Ｅ−ＵＴＲＡＮは、ｎｏｎＣｏｎｔｉｇｕｏｕｓＵＬ−ＲＡ−ＷｉｔｈｉｎＣＣ−Ｉｎｆｏが、ＰＣｅｌｌが構成されるバンド内でｓｕｐｐｏｒｔｅｄに設定されるとき、ＰＣｅｌｌに関する本フィールドを構成してもよい。Ｅ−ＵＴＲＡＮは、ｎｏｎＣｏｎｔｉｇｕｏｕｓＵＬ−ＲＡ−ＷｉｔｈｉｎＣＣ−Ｉｎｆｏが、ＰＳＣｅｌｌが構成されるバンド内でｓｕｐｐｏｒｔｅｄに設定されるとき、ＰＳＣｅｌｌに関する本フィールドを構成してもよい。Ｅ−ＵＴＲＡＮは、ｎｏｎＣｏｎｔｉｇｕｏｕｓＵＬ−ＲＡ−ＷｉｔｈｉｎＣＣ−Ｉｎｆｏが、ＰＵＣＣＨＳＣｅｌｌが構成されるバンド内でｓｕｐｐｏｒｔｅｄに設定されるとき、ＰＵＣＣＨＳＣｅｌｌに関する本フィールドを構成してもよい。
【００８２】
ＵＥは、無線能力をｅＮＢに伝送し、ＵＥがＰＵＣＣＨグループの構成をサポートするかどうかを示してもよい。ＵＥ能力メッセージ内の同時ＰＵＣＣＨ−ＰＵＳＣＨは、ＰＣｅｌｌおよびＳＣｅｌｌの両方に適用されてもよい。同時ＰＵＣＣＨ＋ＰＵＳＣＨは、ＰＣｅｌｌおよびＰＵＣＣＨ  ＳＣｅｌｌのために別個に（別個のＩＥを使用して）構成されてもよい。例えば、ＰＣｅｌｌおよびＰＵＣＣＨ  ＳＣｅｌｌは、同時ＰＵＣＣＨ＋ＰＵＳＣＨに関連する、異なるまたは同一構成を有してもよい。
【００８３】
ｅＮＢは、セル負荷、キャリア品質（例えば、測定報告を使用して）、キャリア構成、および／または他のパラメータを考慮して、現在のＳＣｅｌｌまたは候補ＳＣｅｌｌ間でＰＵＣＣＨ  ＳＣｅｌｌを選択してもよい。機能性の観点から、ＰＵＣＣＨセルグループ管理プロシージャは、ＰＵＣＣＨセルグループ追加、ＰＵＣＣＨセルグループ解放、ＰＵＣＣＨセルグループ変更、および／またはＰＵＣＣＨセルグループ再構成を含んでもよい。ＰＵＣＣＨセルグループ追加プロシージャは、二次ＰＵＣＣＨセルグループを追加する（例えば、ＰＵＣＣＨ  ＳＣｅｌｌおよび１つまたはそれを上回るＳＣｅｌｌを二次ＰＵＣＣＨセルグループ内に追加する）ために使用されてもよい。例示的実施形態では、セルは、１つまたはそれを上回るＲＲＣメッセージを採用して、解放および追加されてもよい。別の例示的実施形態では、セルは、第１のＲＲＣメッセージを採用して解放され、次いで、第２のＲＲＣメッセージを採用して追加されてもよい。
【００８４】
ＰＵＣＣＨ  ＳＣｅｌｌを含むＳＣｅｌｌは、構成されるとき、非アクティブ化状態であってもよい。ＰＵＣＣＨ  ＳＣｅｌｌは、アクティブ化ＭＡＣ  ＣＥによって、ＲＲＣ構成プロシージャ後、アクティブ化されてもよい。ｅＮＢは、ＭＡＣ  ＣＥアクティブ化コマンドをＵＥに伝送してもよい。ＵＥは、ＭＡＣ  ＣＥアクティブ化コマンドの受信に応答して、ＳＣｅｌｌをアクティブ化してもよい。
【００８５】
例示的実施形態では、タイマは、いったん始動されると、停止または満了するまで、起動中である。そうでなければ、起動していなくてもよい。タイマは、起動中ではない場合、始動されることができる、または起動中である場合、再始動される。例えば、タイマは、その初期値から始動または再始動されてもよい。
【００８６】
本発明の例示的実施形態では、ＭＡＣエンティティが、１つまたはそれを上回るＳＣｅｌｌを用いて構成される場合、ネットワークは、構成されたＳＣｅｌｌをアクティブ化および非アクティブ化してもよい。ＳｐＣｅｌｌは、構成されるとき、常時、アクティブ化されてもよい。ネットワークは、アクティブ化／非アクティブ化ＭＡＣ制御要素を送信することによって、ＳＣｅｌｌをアクティブ化および非アクティブ化してもよい。さらに、ＭＡＣエンティティは、構成されたＳＣｅｌｌのためにｓＣｅｌｌＤｅａｃｔｉｖａｔｉｏｎＴｉｍｅｒタイマを維持してもよい。同一初期タイマ値が、ｓＣｅｌｌＤｅａｃｔｉｖａｔｉｏｎＴｉｍｅｒのインスタンスに適用され、ＲＲＣによって構成される。構成されたＳＣｅｌｌは、最初に、追加に応じて、ハンドオーバ後、非アクティブ化されてもよい。
【００８７】
ＭＡＣエンティティは、ＴＴＩおよび構成されたＳＣｅｌｌのためのものであってもよい。ＭＡＣエンティティが、本ＴＴＩにおいてアクティブ化／非アクティブ化ＭＡＣ制御要素を受信し、ＳＣｅｌｌをアクティブ化する場合、ＭＡＣエンティティは、事前に定義されたタイミングに従って、ＴＴＩにおいて、以下のうちの１つまたはそれを上回るものを行ってもよい。構成される場合、ＳＣｅｌｌをアクティブ化する、例えば、通常ＳＣｅｌｌ動作を適用する、通常ＳＣｅｌｌ動作は、ＳＣｅｌｌ上でのＳＲＳ伝送、ＳＣｅｌｌに関するＣＱＩ／ＰＭＩ／ＲＩ／ＰＴＩ報告、ＳＣｅｌｌ上でのＰＤＣＣＨ監視、ＳＣｅｌｌに関するＰＤＣＣＨ監視、ＳＣｅｌｌ上でのＰＵＣＣＨ伝送を含んでもよい。ＵＥがアクティブ化ＭＡＣ  Ｃ／Ｅを受信すると、ＵＥは、ＳＣｅｌｌと関連付けられたｓＣｅｌｌＤｅａｃｔｉｖａｔｉｏｎＴｉｍｅｒを始動または再始動させてもよい。ＵＥが、アクティブ化ＭＡＣ  Ｃ／Ｅを受信すると、ＵＥは、ＰＨＲをトリガしてもよい。
【００８８】
例示的実施形態では、以下のプロセスが、ＳＣｅｌｌ（例えば、ＰＵＣＣＨ  ＳＣｅｌｌまたはＰＵＣＣＨセルグループ内の他のＳＣｅｌｌ）が非アクティブ化されると、ＵＥおよび／またはｅＮＢ内で実装されてもよい。信号が、構成される場合、プロセスに適用される。他の類似プロセスも、実質的に同一結果を達成するために開発されてもよい。ＳＣｅｌｌが非アクティブ化される場合、ＵＥは、ＳＣｅｌｌ上でＳＲＳを伝送しなくてもよい、ＳＣｅｌｌに関するＣＱＩ／ＰＭＩ／ＲＩ／ＰＴＩを報告しなくてもよい、ＳＣｅｌｌ上でＵＬ−ＳＣＨを伝送しなくてもよい、ＳＣｅｌｌ上でＲＡＣＨを伝送しなくてもよい、ＳＣｅｌｌ上でＰＤＣＣＨを監視しなくてもよい、および／またはＳＣｅｌｌに関してＰＤＣＣＨを監視しなくてもよい。アクティブ化／非アクティブ化ＭＡＣ制御要素を含有するＭＡＣ  ＰＤＵに関するＨＡＲＱフィードバックは、ＳＣｅｌｌアクティブ化／非アクティブ化に起因するＰＣｅｌｌ中断によって影響され得ない。ＳＣｅｌｌが非アクティブ化されると、ＳＣｅｌｌ上での継続中のランダムアクセスプロシージャは、該当する場合、中止されてもよい。
【００８９】
図１４Ａは、例示的実施形態のある側面による、例示的アクティブ化／非アクティブ化ＭＡＣ  ＣＥである。図１４Ａは、１〜７のＳＣｅｌｌＩｎｄｅｘを伴う最大７つのＳＣｅｌｌが構成されたときのＭＡＣアクティブ化／非アクティブ化ＣＥを示す。図１４ＡにおけるＭＡＣアクティブ化／非アクティブ化ＣＥは、ＳＣｅｌｌＩｎｄｅｘが１〜７の数であるとき、最大７つのＳＣｅｌｌをアクティブ化または非アクティブ化してもよい。
【００９０】
図１４Ａにおけるアクティブ化／非アクティブ化ＭＡＣ制御要素は、事前に定義されたＬＣＩＤを伴うＭＡＣ  ＰＤＵサブヘッダによって識別されてもよい。ＭＡＣ  ＣＥは、固定サイズを有し、７つのＣ−フィールドおよび１つのＲ−フィールドを含有する単一オクテットから成る。アクティブ化／非アクティブ化ＭＡＣ制御要素は、以下のように定義されてもよい。Ｃｉ：ＳＣｅｌｌＩｎｄｅｘ  ｉを用いて構成されたＳＣｅｌｌが存在する場合、本フィールドは、ＳＣｅｌｌＩｎｄｅｘ  ｉを用いるＳＣｅｌｌのアクティブ化／非アクティブ化ステータスを示し得、そうでなければ、ＭＡＣエンティティは、Ｃｉフィールドを無視してもよい。Ｃｉフィールドは、「１」に設定され、ＳＣｅｌｌＩｎｄｅｘ  ｉを用いるＳＣｅｌｌがアクティブ化されるべきであることを示す。Ｃｉフィールドは、「０」に設定され、ＳＣｅｌｌＩｎｄｅｘ  ｉを用いるＳＣｅｌｌが非アクティブ化されるべきであることを示す。Ｒ：反転ビットであって、「０」に設定される。図１４Ａに示されるように、ＭＡＣアクティブ化／非アクティブ化ＣＥは、最大７つのＳＣｅｌｌをアクティブ化または非アクティブ化してもよく、ＳＣｅｌｌＩｎｄｅｘは、１〜７の数である。
【００９１】
アクティブ化／非アクティブ化ＭＡＣ  ＣＥに関する新しいＬＣＩＤが、例えば、最大３１のＳＣｅｌｌ（１つのＰＣｅｌｌおよび最大３１のＳＣｅｌｌを含む、最大３２のセル）が、構成されるとき、より多数のセルのアクティブ化／非アクティブ化をイネーブルにするために定義される必要があり得る。例示的実施形態では、新しいＬＣＩＤを伴う４オクテットアクティブ化／非アクティブ化ＭＡＣ  ＣＥが、定義された。新しいＡ／Ｄ  ＭＡＣ  ＣＥは、１オクテットＡ／Ｄ  ＭＡＣ  ＣＥに関するＬＣＩＤと異なる新しいＬＣＩＤが割り当てられてもよい。
【００９２】
例示的実施形態は、４オクテットの固定サイズを用いて新しいＭＡＣ  ＣＥコマンドをイネーブルにしてもよい。これは、１バイトである固定長ＭＡＣ  ＣＥを伴うＭＡＣサブヘッダの使用をイネーブルにし得る。全体として、開示される実施形態は、殆どの場合、全体的平均コマンドサイズを縮小させて、効率的ＭＡＣ  ＣＥコマンドフォーマットをイネーブルにし得る。本発明の例示的実施形態は、固定サイズＭＡＣ  ＣＥを導入し、これは、実装が単純であって、より短いＭＡＣ  ＣＥサブヘッダを要求する。好ましいＭＡＣ  ＣＥは、柔軟性が低いが、その単純性および縮小されたＭＡＣサブヘッダサイズは、付加的利点を提供する。
【００９３】
図１５は、Ａ／Ｄ  ＭＡＣ  ＣＥのための例示的ＭＡＣサブヘッダである。ＭＡＣ  ＰＤＵ内の例示的サブヘッダは、固定サイズのＭＡＣ制御要素のために採用されてもよい。サブヘッダは、ＬＣＩＤフィールド（例えば、５ビット）を含んでもよい。サブヘッダは、他のまたは将来的使用のために反転された１つまたはそれを上回るＲビットを含んでもよい。サブヘッダは、Ｅフィールドを含んでもよい。実施例では、Ｅ（拡張フィールド）は、より多くのフィールドがＭＡＣヘッダ内に存在するかどうかを示すフラグであってもよい。Ｅフィールドは、「１」に設定され、少なくともＲ／Ｒ／Ｅ／ＬＣＩＤフィールドの別のセットを示してもよい。Ｅフィールドは、「０」に設定され、ＭＡＣ  ＳＤＵ、ＭＡＣ制御要素、またはパディングのいずれかが次のバイトにおいて開始することを示してもよい。
【００９４】
例示的実施形態では、無線デバイスが、１つまたはそれを上回る二次セルの構成パラメータを含む、少なくとも１つのメッセージを受信してもよい。無線デバイスは、ｅＮＢから、アクティブ化／非アクティブ化（Ａ／Ｄ）媒体アクセス制御（ＭＡＣ）制御要素（ＣＥ）を受信してもよい。無線デバイスは、Ａ／Ｄ  ＭＡＣ  ＣＥに従って、少なくとも１つのセルをアクティブ化または非アクティブ化してもよい。ＭＡＣ  Ａ／Ｄ  ＣＥは、１オクテットの固定サイズであり、最大７つであって、それぞれ、１〜７のセルインデックスを伴う、二次セルが、構成されるとき、第１の論理チャネル識別子（ＬＣＩＤ）を用いて第１のサブヘッダによって識別される。そうでなければ、ＭＡＣ  Ａ／Ｄ  ＣＥは、４オクテットの固定サイズであり、第１のＬＣＩＤと異なる第２のＬＣＩＤを用いて第２のサブヘッダによって識別される。
【００９５】
図１６Ａおよび１６Ｂは、１オクテットＡ／Ｄ  ＭＡＣ  ＣＥおよび４オクテットＡ／Ｄ  ＭＡＣ  ＣＥのためのＬＣＩＤおよびＭＡＣ  ＣＥの実施例を示す。１オクテットのためのＡ／Ｄ  ＭＡＣ  ＣＥは、第１のＬＣＩＤ（ＬＣＩＤ１）を用いてＭＡＣ  ＰＤＵサブヘッダによって識別されてもよい。Ａ／Ｄ  ＭＡＣ  ＣＥは、７つのＣ−フィールドおよび１つのＲ−フィールドを含有する単一オクテットの固定サイズを有する。例示的１オクテットＡ／Ｄ  ＭＡＣ  ＣＥは、図１６Ａに示される。４オクテットのＡ／Ｄ  ＭＡＣ  ＣＥは、第１のＬＣＩＤ（ＬＣＩＤ１）と異なる第２のＬＣＩＤ（ＬＣＩＤ２）を用いてＭＡＣ  ＰＤＵサブヘッダによって識別される。Ａ／Ｄ  ＭＡＣ  ＣＥは、３１のＣ−フィールドおよび１つのＲ−フィールドを含有する４オクテットの固定サイズを有する。実施例は、図１６Ｂに示される。
【００９６】
例示的実施形態では、７より大きいＳｅｒｖＣｅｌｌＩｎｄｅｘを伴うサービングセルが存在しない場合、１オクテットのアクティブ化／非アクティブ化ＭＡＣ制御要素が、適用される。１オクテットＭＡＣ  ＣＥでは、ＳＣｅｌｌＩｎｄｅｘ  ｉを用いて構成されたＳＣｅｌｌが存在する場合、Ｃｉフィールドは、ＳＣｅｌｌＩｎｄｅｘ  ｉを伴うＳＣｅｌｌのアクティブ化／非アクティブ化ステータスを示し、そうでなければ、ＭＡＣエンティティは、Ｃｉフィールドを無視してもよい。Ｃｉフィールドは、「１」に設定され、ＳＣｅｌｌＩｎｄｅｘ  ｉを用いるＳＣｅｌｌがアクティブ化されることになることを示す。Ｃｉフィールドは、「０」に設定され、ＳＣｅｌｌＩｎｄｅｘ  ｉを用いるＳＣｅｌｌが非アクティブ化されることになることを示す。Ｒ：反転ビットは、「０」に設定される。
【００９７】
例示的実施形態では、７より大きいＳｅｒｖＣｅｌｌＩｎｄｅｘを伴うサービングセルが存在しない場合、１オクテットのアクティブ化／非アクティブ化ＭＡＣ制御要素が、適用され、そうでなければ、４オクテットのアクティブ化／非アクティブ化ＭＡＣ制御要素が、適用される。
【００９８】
例示的実施形態では、例えば、Ａ／Ｄ  ＭＡＣ  ＣＥ内で４オクテットのうちの１つまたはそれを上回るものによって示されるセルが構成されない場合、非構成セルに対応する１つまたはそれを上回るオクテットが、依然として、伝送される。ＵＥは、構成されていないセルに対応するビットに関して、いかなる措置も講じなくてもよい。構成されないセルは、アクティブ化／非アクティブ化されなくてもよい。例示的実施形態では、所与のサブグループ内のセルが構成されない場合、ＵＥは、対応するオクテット内のビットを無視してもよい、または対応するオクテット内のビットは、ゼロであってもよい。一次セルは、常時、アクティブであって、したがって、サブグループ０（オクテット１内のＲビット）内のＰＣｅｌｌのアクティブ化または非アクティブ化を示す必要はない。
【００９９】
例示的実施形態では、７より大きいＳｅｒｖＣｅｌｌＩｎｄｅｘを伴うサービングセルが存在しない場合、１オクテットのアクティブ化／非アクティブ化ＭＡＣ制御要素が、適用される。例示的実施形態では、７を上回るＳＣｅｌｌＩｎｄｅｘ  ｉが構成されると、ＳＣｅｌｌは、サブグループにグループ化されてもよい。７を上回るＳＣｅｌｌＩｎｄｅｘは、サブグループ数およびＣｉによって示されてもよい。最大４つのサブグループが、構成されてもよく、ＳＣｅｌｌＩｎｄｅｘ＝サブグループ数×８＋Ｃｉとなる。本例示的実施形態は、インデックスＣｉサイズを８を下回る数に縮小し得る。４オクテットのアクティブ化／非アクティブ化ＭＡＣ制御要素が、適用される。オクテットは、サブグループに適用可能である。例えば、オクテット１は、最初の７つのＳＣｅｌｌ（ＳｅｒｖＣｅｌｌＩｎｄｅｘ１〜７およびサブグループ０）に適用され、オクテット２は、続く８ＳＣｅｌｌ（ＳｅｒｖＣｅｌｌＩｎｄｅｘ８〜１５またはサブグループ１およびサブグループ１内のＣｉ０〜７）に適用され、オクテット３は、続く８ＳＣｅｌｌ（ＳｅｒｖＣｅｌｌＩｎｄｅｘ１６〜２３またはサブグループ２およびサブグループ２内のＣｉ０〜７）に適用される等となる。アクティブ化／非アクティブ化ＭＡＣ  ＣＥ内のオクテットは、具体的事前に定義されたサブグループに対応してもよい。ＳＣｅｌｌが構成される場合、その対応するＣｉフィールドは、ＳＣｅｌｌのアクティブ化／非アクティブ化ステータスを示し、そうでなければ、ＭＡＣエンティティは、Ｃｉフィールドを無視してもよい。Ｃｉフィールドは、「１」に設定され、対応するＳＣｅｌｌがアクティブ化されることになることを示す。Ｃｉフィールドは、「０」に設定され、対応するＳＣｅｌｌが非アクティブ化されることになることを示す。Ｒ：反転ビット、「０」に設定される。
【０１００】
所与のサブグループ内でセルインデックスｉを用いて構成されたＳＣｅｌｌが存在する場合、Ｃｉフィールドは、ＳＣｅｌｌＩｎｄｅｘ＝サブグループ数×８＋Ｃｉを用いて、ＳＣｅｌｌのアクティブ化／非アクティブ化ステータスを示し得、そうでなければ、ＭＡＣエンティティは、Ｃｉフィールドを無視してもよい。Ｃｉフィールドは、「１」に設定され、対応するサブグループ内のＳＣｅｌｌＩｎｄｅｘ＝サブグループ数×８＋Ｃｉを伴う対応するＳＣｅｌｌがアクティブ化されるべきであることを示す。Ｃｉフィールドは、「０」に設定され、対応するＳＣｅｌｌが非アクティブ化されるべきであることを示す。
【０１０１】
図１４ＡにおけるＭＡＣアクティブ化／非アクティブ化ＣＥは、ＳＣｅｌｌＩｎｄｅｘが、１〜７の数であるであるとき、最大７つのＳＣｅｌｌをアクティブ化または非アクティブ化してもよい。７より大きいＳｅｒｖＣｅｌｌＩｎｄｅｘを伴うサービングセルが存在しない（例えば、無サブグループ化）場合、１オクテットのアクティブ化／非アクティブ化ＭＡＣ制御要素が、適用される。例示的実施形態では、１つのサブグループが無線デバイス内で構成される（例えば、サブグループ化が行われない）と、第１のＬＣＩＤおよび１オクテットＡ／Ｄ  ＭＡＣ  ＣＥが、セルのアクティブ化／非アクティブ化のために採用されてもよい。
【０１０２】
例示的実施形態では、７を上回るＳＣｅｌｌＩｎｄｅｘを伴うセルが構成されると、ＭＡＣアクティブ化コマンドは、４オクテットの固定サイズを有してもよい（例えば、複数のサブグループが構成される）。ｅＮＢおよびＵＥは、固定ＭＡＣ  ＣＥサイズのための第２のＬＣＩＤを伴う４オクテットＭＡＣサブヘッダを使用してもよい。
【０１０３】
例示的実施形態は、旧来の拡張ＰＨＲ  ＭＡＣ  ＣＥ（（拡張ＰＨＲ）および強化拡張ＰＨＲ  ＭＡＣ  ＣＥ報告（ｅｘｔｅｎｄｅｄＰＨＲ２）を提示する。図１７Ａおよび１８Ａは、例示的実施形態における例示的ＰＨＲ  ＭＡＣ  ＣＥ存在フィールドを示す。図１７Ａおよび１８Ａは、１〜７のＳＣｅｌｌＩｎｄｅｘを伴う最大７つのＳＣｅｌｌが構成されるときのＰＨＲ  ＭＡＣ  ＣＥ存在フィールドを示す。ＰＨＲ  ＭＡＣ  ＣＥは、１オクテット存在フィールドを含む。図１８ＡにおけるＰＨＲ  ＭＡＣ  ＣＥは、ＳＣｅｌｌＩｎｄｅｘが１〜７の数であるとき、最大７つのＳＣｅｌｌのためのＰＨＲを含んでもよい。例示的実施形態では、構成された二次セルの数が７未満であるとき、１オクテット存在フィールドを伴うＰＨＲ  ＭＡＣ  ＣＥが、セルのＰＨＲのために採用されてもよい。
【０１０４】
図１７Ｂおよび１８Ｂに図示されるように、存在フィールドは、ＵＥが、アップリンクが構成された７つを上回る二次セルを用いて構成されるとき、４オクテットの固定サイズである。ＬＴＥ−Ａ以降では、ｅＮＢは、それぞれ構成されたアップリンクを有する、７つを上回るＳＣｅｌｌを用いてＵＥを構成してもよい。４オクテット存在フィールドは、図１７Ｂおよび１８Ｂに図示されるように、ＰＨＲ  ＭＡＣ  ＣＥ内に含まれてもよい。
【０１０５】
ＰＨＲ  ＭＡＣ  ＣＥは、ＵＥ内で構成された二次セルのＲＲＣ構成に応じて、１オクテット存在フィールドまたは４オクテット存在フィールドのいずれかを含んでもよい。本発明の例示的実施形態は、ＵＥ  ＲＲＣ構成に応じて、２つの代替固定サイズＭＡＣ  ＣＥ存在フィールドを導入する。本機構は、ＵＥおよび／またはｅＮＢ実装を単純化し得る。ＭＡＣ  ＣＥフォーマット／サイズは、柔軟性が低いが、その単純性は、付加的利点を提供する。
【０１０６】
図１７および１８におけるＰＨＲ  ＭＡＣ  ＣＥは、事前に定義されたＬＣＩＤを伴うＭＡＣ  ＰＤＵサブヘッダによって識別されてもよい。図１９は、ＰＨＲ  ＭＡＣ  ＣＥのための例示的サブヘッダである。サブヘッダは、ＰＨＲ  ＭＡＣ  ＣＥを識別するための事前に定義されたＬＣＩＤフィールドを含んでもよい。サブヘッダはまた、ＰＨＲ  ＭＡＣ  ＣＥの長さを示すための長さフィールドを含んでもよい。ＰＨＲ  ＭＡＣ  ＣＥは、ＰＨＲフィールドを伴うセルの数およびセル毎のＰＨＲフィールドのタイプに応じて、可変サイズを有する。
【０１０７】
図１７Ａおよび１８ＡにおけるＰＨＲ  ＭＡＣ  ＣＥは、固定サイズを伴う存在フィールドを含む。存在フィールドは、７つのＣ−フィールドおよび１つのＲ−フィールドを含有する単一オクテットから成る。図１７Ａおよび１８ＡにおけるＰＨＲ  ＭＡＣ  ＣＥは、以下のように定義されてもよい。Ｃｉ：ＳＣｅｌｌＩｎｄｅｘ  ｉを用いて構成されたＳＣｅｌｌが存在する場合、Ｃｉフィールドは、１つまたはそれを上回る電力ヘッドルームフィールドがＳＣｅｌｌＩｎｄｅｘ  ｉを伴うＳＣｅｌｌに関する報告されているかどうかを示し得る。Ｃｉフィールドは、「１」に設定され、１つまたはそれを上回る電力ヘッドルームフィールドがＳＣｅｌｌＩｎｄｅｘ  ｉを伴うＳＣｅｌｌに関して報告されていることを示す。Ｃｉフィールドは、「０」に設定され、電力ヘッドルーム報告がＳＣｅｌｌＩｎｄｅｘ  ｉを伴うＳＣｅｌｌに関して報告されていないことを示す。図１７Ａおよび１８Ａに示されるように、ＰＨＲ  ＭＡＣ  ＣＥは、アップリンクが構成され、かつ１〜７のＳＣｅｌｌＩｎｄｅｘを伴う、最大７つのＳＣｅｌｌに関する電力ヘッドルームを含んでもよい。
【０１０８】
ＰＨＲ  ＭＡＣ  ＣＥは、ＭＡＣサブヘッダ内のＬＣＩＤによって識別される。ＭＡＣサブヘッダは、ＬＣＩＤおよび長さフィールドを含んでもよい。拡張ＰＨＲ  ＭＡＣ  ＣＥは、可変サイズを有する。例示的実施形態では、Ｃフィールドを伴う１オクテットは、アップリンクが構成されたＳＣｅｌｌの最高ＳＣｅｌｌＩｎｄｅｘが、８未満であるとき、ＰＨｐｅｒＳＣｅｌｌの存在を示すために使用されてもよい（図１７Ａおよび１８Ａ）。Ｃフィールドを伴う４オクテットは、アップリンクが構成されたＳＣｅｌｌの最高ＳＣｅｌｌＩｎｄｅｘが７を上回るとき、ＰＨｐｅｒＳＣｅｌｌの存在を示すために使用されてもよい（図１７Ｂおよび１８Ｂ）。Ｃｉフィールドは、対応するＳＣｅｌｌに関するＰＨフィールドの存在を示す。「１」に設定されるＣｉフィールドは、対応するＳＣｅｌｌに関するＰＨフィールドが報告されることを示す。「０」に設定されるＣｉフィールドは、対応するＳＣｅｌｌに関するＰＨフィールドが報告されないことを示す。
【０１０９】
図１７Ｂおよび図１８Ｂは、アップリンクが構成された７つを上回るＳＣｅｌｌが構成されるときの例示的ＰＨＲ  ＭＡＣ  ＣＥフィールドを示す。例示的実施形態では、ダウンリンクおよびアップリンクが構成され、かつ７を上回るＳＣｅｌｌＩｎｄｅｘ  ｉを伴う、ＳＣｅｌｌが、構成されると、ＳＣｅｌｌは、最大４つのサブグループにグループ化されてもよい。７を上回るＳＣｅｌｌＩｎｄｅｘは、サブグループ数およびＣｉによって示されてもよい。最大４つのサブグループが、構成されてもよく、ＳＣｅｌｌＩｎｄｅｘ＝サブグループ数×８＋Ｃｉとなる。本例示的実施形態は、インデックスＣｉを８を下回る数に縮小させ得る。４オクテットのＰＨＲ  ＭＡＣ  ＣＥ存在フィールドが、適用される。オクテットは、サブグループに適用可能である。例えば、オクテット１は、最初の７つのＳＣｅｌｌ（ＳｅｒｖＣｅｌｌＩｎｄｅｘ１〜７およびサブグループ０）に適用され、オクテット２は、続く８つのＳＣｅｌｌ（ＳｅｒｖＣｅｌｌＩｎｄｅｘ８〜１５またはサブグループ１およびサブグループ１内のＣｉ０〜７）に適用され、オクテット３は、続く８つのＳＣｅｌｌ（ＳｅｒｖＣｅｌｌＩｎｄｅｘ１６〜２３またはサブグループ２およびサブグループ２内のＣｉ０〜７）に適用される等となる。ＰＨＲ  ＭＡＣ  ＣＥ内のオクテットは、事前に定義されたサブグループに対応してもよい。ＳＣｅｌｌが構成される場合、その対応するＣｉフィールドは、ＰＨＲ  ＭＡＣ  ＣＥ内のＳＣｅｌｌの電力ヘッドルームフィールドの存在を示し、そうでなければ、電力ヘッドルームフィールドは、構成されないＳＣｅｌｌに関して含まれなくてもよい。Ｃｉフィールドは、「１」に設定され、電力ヘッドルームフィールドが対応するＳＣｅｌｌに関して含まれることを示す。Ｃｉフィールドは、「０」に設定され、電力ヘッドルーム報告が対応するＳＣｅｌｌ内に含まれないことを示す。Ｒは、反転ビットである。
【０１１０】
所与のサブグループ内にセルインデックスｉを用いて構成されたＳＣｅｌｌが存在する場合、Ｃｉフィールドは、ＳＣｅｌｌＩｎｄｅｘ＝サブグループ数×８＋Ｃｉを伴うＳＣｅｌｌの電力ヘッドルームフィールドの存在を示し得、そうでなければ、電力ヘッドルームは、非構成ＳＣｅｌｌに関して含まれなくてもよい。Ｃｉフィールドは、「１」に設定され、１つまたはそれを上回る電力ヘッドルームが、ＳＣｅｌｌＩｎｄｅｘ＝サブグループ数×８＋Ｃｉを用いる対応するＳＣｅｌｌに関して存在することを示す。Ｃｉフィールドは、「０」に設定され、電力ヘッドルーム報告が対応するＳＣｅｌｌに関して存在しないことを示す。
【０１１１】
例示的実施形態では、セルが構成されないとき、ｅＮＢは、対応する存在オクテット内のビットを無視してもよい。一次セルは、常時、アクティブであって、したがって、それに関するＰＨＲは、常時、伝送される（例えば、オクテット１内のＲビット）。
【０１１２】
Ｅ−ＵＴＲＡＮは、アップリンクを用いる１つを上回り最大８つのサービングセルが、構成され、アップリンクが構成されたサービングセルのいずれも、７より高いｓｅｒｖｉｎｇＣｅｌｌＩｎｄｅｘを有していないとき、かつＳＣｅｌｌ上のＰＵＣＣＨが構成されない場合、かつデュアルコネクティビティが構成されない場合、旧来の拡張ＰＨＲを構成してもよい。ｅｘｔｅｎｄｅｄＰＨＲに関して、拡張電力ヘッドルーム報告（ＰＨＲ）ＭＡＣ制御要素は、ＬＣＩＤを含む、ＭＡＣ  ＰＤＵサブヘッダによって識別される。拡張ＰＨＲ  ＭＡＣ  ＣＥは、可変サイズを有する。タイプ２ＰＨが報告されるとき、タイプ２ＰＨフィールドを含有するオクテットが、最初に、ＰＨｐｅｒＳＣｅｌｌの存在を示すオクテット後に含まれ、その後、関連付けられたＰＣＭＡＸ，ｃフィールドを含有するオクテット（報告される場合）が続いてもよい。次いで、ビットマップに示されるＰＣｅｌｌに関して、かつＳＣｅｌｌ毎に、ＳｅｒｖＣｅｌｌＩｎｄｅｘに基づく昇順において、タイプ１ＰＨフィールドを伴うオクテットおよび関連付けられたＰＣＭＡＸ，ｃフィールドを伴うオクテット（報告される場合）が続く。
【０１１３】
拡張電力ヘッドルーム報告（ｅｘｔｅｎｄｅｄＰＨＲ２）は、アップリンクが構成されたサービングセルのいずれが、７より高いｓｅｒｖｉｎｇＣｅｌｌＩｎｄｅｘを有するとき、構成されてもよい。強化拡張電力ヘッドルーム報告（ＰＨＲ）は、ＰＵＣＣＨ  ＳＣｅｌｌが構成されるとき、構成されてもよい。強化拡張電力ヘッドルーム報告（ＰＨＲ）ＭＡＣ制御要素は、ＬＣＩＤを含む、ＭＡＣ  ＰＤＵサブヘッダによって識別される。拡張ＰＨＲ  ＭＡＣ  ＣＥは、可変サイズを有する。Ｃフィールドを伴う１オクテットは、アップリンクが構成されたＳＣｅｌｌの最高ＳＣｅｌｌＩｎｄｅｘが８未満であるとき、ＰＨｐｅｒＳＣｅｌｌの存在を示すために使用されてもよい。Ｃフィールドを伴う４オクテットは、アップリンクが構成されたＳＣｅｌｌの最高ＳＣｅｌｌＩｎｄｅｘが７を上回るとき、ＰＨｐｅｒＳＣｅｌｌの存在を示すために使用されてもよい。
【０１１４】
タイプ２ＰＨが、ＰＣｅｌｌに関して報告されるとき、タイプ２ＰＨフィールドを含有するオクテットが、最初に、ＰＨ  ｐｅｒ  ＳＣｅｌｌの存在を示すオクテット後に含まれて、関連付けられたＰＣＭＡＸ，ｃフィールドを含有するオクテット（報告される場合）が続いてもよい。次いで、ＰＵＣＣＨ  ＳＣｅｌｌに関するタイプ２ＰＨフィールド（ＳＣｅｌｌ上のＰＵＣＣＨが構成され、タイプ２ＰＨが、ＰＵＣＣＨ  ＳＣｅｌｌに関して報告される場合）が続き、その後、関連付けられたＰＣＭＡＸ，ｃフィールドを含有するオクテット（報告される場合）が続いてもよい。次いで、ビットマップに示されるＰＣｅｌｌに関して、かつＳＣｅｌｌ毎に、ＳｅｒｖＣｅｌｌＩｎｄｅｘに基づく昇順において、タイプ１ＰＨフィールドを伴うオクテットおよび関連付けられたＰＣＭＡＸ，ｃフィールドを伴うオクテット（報告される場合）が続く。
【０１１５】
いくつかの例示的拡張ＰＨＲ  ＭＡＣ  ＣＥフィールドは、以下のように定義されてもよい。Ｖ：本フィールドは、ＰＨ値が、実際の伝送または基準フォーマットに基づくかどうかを示す。タイプ１ＰＨに関して、Ｖ＝０は、ＰＵＳＣＨ上の実際の伝送を示し、Ｖ＝１は、ＰＵＳＣＨ基準フォーマットが使用されることを示す。タイプ２ＰＨに関して、Ｖ＝０は、ＰＵＣＣＨ上の実際の伝送を示し、Ｖ＝１は、ＰＵＣＣＨ基準フォーマットが使用されることを示す。タイプ１およびタイプ２ＰＨの両方に関して、Ｖ＝０は、関連付けられたＰＣＭＡＸ，ｃフィールドを含有するオクテットの存在を示し、Ｖ＝１は、関連付けられたＰＣＭＡＸ，ｃフィールドを含有するオクテットが省略されることを示す。電力ヘッドルーム（ＰＨ）フィールドは、電力ヘッドルームレベルを示す。フィールドの長さは、６ビットである。Ｐフィールドは、ＭＡＣエンティティが電力管理（Ｐ−ＭＰＲｃによって許可される）に起因する電力バックオフを適用するかどうかを示す。ＭＡＣエンティティは、電力管理に起因する電力バックオフが適用されなかった場合に、対応するＰＣＭＡＸ，ｃフィールドが異なる値を有したであろう場合、Ｐ＝１を設定してもよい。ＰＣＭＡＸ，ｃフィールドは、存在する場合、先行ＰＨフィールドの計算のために使用されるＰＣＭＡＸ，ｃまたは
【数１】
0006319862.tif 000005
を示す。
【０１１６】
２つのタイプのＵＥ電力ヘッドルーム報告、すなわち、タイプ１およびタイプ２が、存在し得る。ＵＥ電力ヘッドルームＰＨは、サービングセルｃのためのサブフレームｉに関して有効であってもよい。
【０１１７】
ＵＥが、ＳＣＧを用いて構成される場合、かつＣＧに関する高次層パラメータｐｈｒ−ＭｏｄｅＯｔｈｅｒＣＧ−ｒ１２が、そのＣＧ上で伝送される電力ヘッドルーム報告に関して「仮想」を示す場合、ＵＥは、他のＣＧの任意のサービングセル上でＰＵＳＣＨ／ＰＵＣＣＨを伝送しないと仮定して、ＰＨを算出してもよい。
【０１１８】
ＵＥが、ＭＣＧに属するセルに関する電力ヘッドルームを算出するために、ＳＣＧを用いて構成される場合、用語「サービングセル」は、ＭＣＧに属するサービングセルを指し得る。ＳＣＧに属するセルに関する電力ヘッドルームの算出に関して、用語「サービングセル」は、ＳＣＧに属するサービングセルを指し得る。用語「一次セル」は、ＳＣＧのＰＳＣｅｌｌを指し得る。ＵＥが、一次ＰＵＣＣＨグループに属するセルに関する電力ヘッドルームを算出するためにＰＵＣＣＨ  ＳＣｅｌｌを用いて構成される場合、用語「サービングセル」は、一次ＰＵＣＣＨグループに属するサービングセルを指し得る。二次ＰＵＣＣＨグループに属するセルに関する電力ヘッドルームの算出に関して、用語「サービングセル」は、二次ＰＵＣＣＨグループに属するサービングセルを指し得る。用語「一次セル」は、二次ＰＵＣＣＨグループのＰＵＣＣＨ  ＳＣｅｌｌを指し得る。
【０１１９】
例示的タイプ１およびタイプ２電力ヘッドルーム計算が、ここで提示される。例示的パラメータおよび例示的計算方法は、対応するＬＴＥリリースの規格文書である３ＧＰＰ  ＴＳ  ３６．２１３規格文書に提示される。
【０１２０】
タイプ１：
【０１２１】
ＵＥが、サービングセルｃに関するサブフレームｉ内でＰＵＣＣＨを伴わずにＰＵＳＣＨを伝送する場合、タイプ１報告に関する電力ヘッドルームは、以下を使用して算出されてもよい。
【数２】
0006319862.tif 000006
式中、例示的
【数３】
0006319862.tif 000007
は、以下のように定義されてもよい。
【数４】
0006319862.tif 000008
は、サービングセルｃに関するサブフレームｉ内の構成されたＵＥ伝送電力であってもよく、
【数５】
0006319862.tif 000009
は、
【数６】
0006319862.tif 000010
の線形値であってもよい。
【数７】
0006319862.tif 000011
は、サブフレームｉおよびサービングセルｃに関して有効なリソースブロックの数として表されるＰＵＳＣＨリソース割当の帯域幅であってもよい。
【０１２２】
ＰＬｃは、例えば、ｄＢおよびＰＬｃ＝ｒｅｆｅｒｅｎｃｅＳｉｇｎａｌＰｏｗｅｒ（高次層フィルタリングＲＳＲＰ）においてサービングセルｃに関してＵＥ内で計算されたダウンリンク経路損失推定値であって、ｒｅｆｅｒｅｎｃｅＳｉｇｎａｌＰｏｗｅｒは、高次層によって提供される。ＵＥは、１つまたはそれを上回る経路損失基準セル上で受信された信号を採用して、１つまたはそれを上回る経路損失値を測定してもよい。経路損失基準セルは、サービングセルのために構成されてもよい。ＵＥは、ＰＬｃを計算してもよく、タイプ１およびタイプ２電力ヘッドルームフィールドの計算のために１つまたはそれを上回る経路損失値（ＰＬｃ）を採用してもよい。サービングセルｃが、一次セルを含有するＴＡＧに属する場合、一次セルのアップリンクに関して、ｒｅｆｅｒｅｎｃｅＳｉｇｎａｌＰｏｗｅｒおよび高次層フィルタリングＲＳＲＰを判定するために、一次セルは基準サービングセルとして使用されてもよい。二次セルのアップリンクに関して、高次層パラメータｐａｔｈｌｏｓｓＲｅｆｅｒｅｎｃｅＬｉｎｋｉｎｇによって構成されたサービングセルが、ｒｅｆｅｒｅｎｃｅＳｉｇｎａｌＰｏｗｅｒおよび高次層フィルタリングＲＳＲＰを判定するために、基準サービングセルとして使用されてもよい。サービングセルｃが、ＰＳＣｅｌｌを含有するＴＡＧに属する場合、ＰＳＣｅｌｌのアップリンクに関して、ＰＳＣｅｌｌは、ｒｅｆｅｒｅｎｃｅＳｉｇｎａｌＰｏｗｅｒおよび高次層フィルタリングＲＳＲＰを判定するために、基準サービングセルとして使用されてもよい。ＰＳＣｅｌｌ以外の二次セルのアップリンクに関して、高次層パラメータｐａｔｈｌｏｓｓＲｅｆｅｒｅｎｃｅＬｉｎｋｉｎｇによって構成されたサービングセルは、ｒｅｆｅｒｅｎｃｅＳｉｇｎａｌＰｏｗｅｒおよび高次層フィルタリングＲＳＲＰを判定するために、基準サービングセルとして使用されてもよい。
【０１２３】
Ｐｏ＿ＰＵＳＣＨ、ｃ（ｊ）は、ＲＲＣ構成パラメータを採用して構成されてもよい。ＵＥが、サービングセルｃに関して高次層パラメータＵｐｌｉｎｋＰｏｗｅｒＣｏｎｔｒｏｌＤｅｄｉｃａｔｅｄ−ｖ１２ｘ０を用いて構成される場合、かつサブフレームｉが、高次層パラメータｔｐｃ−ＳｕｂｆｒａｍｅＳｅｔ−ｒ１２によって示されるように、アップリンク電力制御サブフレームセット２に属する場合、ｊ＝０または１に関して、
【数８】
0006319862.tif 000012
となる。αｃ，２は、サービングセルｃ毎に高次層によって提供されるパラメータａｌｐｈａ−ＳｕｂｆｒａｍｅＳｅｔ２−ｒ１２である。ｊ＝２に関して、αｃ（ｊ）＝１となる。そうでなければ、ｊ＝０または１に関して、
【数９】
0006319862.tif 000013
は、サービングセルｃに関して高次層によって提供される３−ビットパラメータであってもよい。ｊ＝２に関して、αＣ（ｊ）＝１；ＰＬＣは、ｄＢおよびＰＬＣ＝ｒｅｆｅｒｅｎｃｅＳｉｇｎａｌＰｏｗｅｒ（高次層フィルタリングＲＳＲＰ）においてサービングセルｃに関してＵＥ内で計算されたダウンリンク経路損失推定値であってもよく、ｒｅｆｅｒｅｎｃｅＳｉｇｎａｌＰｏｗｅｒは、高次層ならびに基準サービングセルのためのＲＳＲＰおよび基準サービングセルのための高次層フィルタ構成によって提供される。ＫＳ＝１．２５に関して、
【数１０】
0006319862.tif 000014
ＫＳ＝０に関して、０となり、式中、ＫＳは、サービングセルｃ毎に高次層によって提供されるパラメータｄｅｌｔａＭＣＳ−Ｅｎａｂｌｅｄによって与えられる。ＢＰＲＥおよびβｏｆｆｓｅｔＰＵＳＨが、サービングセルｃ毎に、以下のように算出される。伝送モード２に関して、ＫＳ＝０となる。ｆ（ｉ）は、電力制御コマンドの関数であってもよい。
【０１２４】
ＵＥが、サービングセルｃに関するサブフレームｉ内でＰＵＣＣＨを用いてＰＵＳＣＨを伝送する場合、タイプ１報告に関する電力ヘッドルームは、以下を使用して算出されてもよい。
【数１１】
0006319862.tif 000015
【０１２５】
【数１２】
0006319862.tif 000016
は、サブフレームｉ内におけるＰＵＳＣＨのみの伝送を仮定して、算出されてもよい。この場合、物理層は、
【数１３】
0006319862.tif 000017
を
【数１４】
0006319862.tif 000018
の代わりに高次層に配信してもよい。ＵＥが、サービングセルｃに関するサブフレームｉ内でＰＵＳＣＨを伝送しない場合、タイプ１報告に関する電力ヘッドルームは、以下を使用して算出されてもよい。
【数１５】
0006319862.tif 000019
【０１２６】
式中、例示的
【数１６】
0006319862.tif 000020
は、ＭＰＲ＝０ｄＢ、Ａ−ＭＰＲ＝０ｄＢ、Ｐ−ＭＰＲ＝０ｄＢ、および□ＴＣ＝０ｄＢと仮定して、算出されてもよい。
【０１２７】
タイプ２：
【０１２８】
ＵＥが、一次セルに関してサブフレームｉ内でＰＵＣＣＨと同時にＰＵＳＣＨを伝送する場合、タイプ２報告に関する電力ヘッドルームは、以下を使用して算出されてもよい。
【数１７】
0006319862.tif 000021
【０１２９】
ＵＥが、一次セルに関してサブフレームｉ内でＰＵＣＣＨを伴わずにＰＵＳＣＨを伝送する場合、タイプ２報告に関する電力ヘッドルームは、以下を使用して算出されてもよい。
【数１８】
0006319862.tif 000022
式中、例示的
【数１９】
0006319862.tif 000023
は、一次セルパラメータであってもよい。ＵＥが、一次セルに関してサブフレームｉ内でＰＵＳＣＨを伴わずにＰＵＣＣＨを伝送する場合、タイプ２報告に関する電力ヘッドルームは、以下を使用して算出されてもよい。
【数２０】
0006319862.tif 000024
【０１３０】
式中、例示的
【数２１】
0006319862.tif 000025
は、一次セルパラメータである。ＵＥが、一次セルに関してサブフレームｉ内でＰＵＣＣＨまたはＰＵＳＣＨを伝送しない場合、タイプ２報告に関する電力ヘッドルームは、以下を使用して算出されてもよい。
【数２２】
0006319862.tif 000026
式中、例示的
【数２３】
0006319862.tif 000027
は、ＭＰＲ＝０ｄＢ、Ａ−ＭＰＲ＝０ｄＢ、Ｐ−ＭＰＲ＝０ｄＢおよびＴＣ＝０ｄＢ、
【数２４】
0006319862.tif 000028
が一次セルパラメータであると仮定して、算出されてもよい。ＵＥが、ＰＤＳＣＨ伝送に対応するＰＵＣＣＨ伝送が存在するかどうか、またはどのＰＵＣＣＨリソースが使用されるかどうかを判定することが不可能である場合、一次セルに関してサブフレームｉにおいて、タイプ２報告に関する電力ヘッドルームを生成する前に、（Ｅ）ＰＤＣＣＨ検出に応じて、以下の条件、すなわち、（１）チャネル選択を伴うＰＵＣＣＨフォーマット１ｂおよびｓｉｍｕｌｔａｎｅｏｕｓＰＵＣＣＨ−ＰＵＳＣＨの両方が、ＵＥのために構成される場合、または（２）チャネル選択を伴うＰＵＣＣＨフォーマット１ｂが、ＰＵＣＣＨフォーマット３を用いて構成されたＵＥに関するＨＡＲＱ−ＡＣＫフィードバックのために使用され、ｓｉｍｕｌｔａｎｅｏｕｓＰＵＣＣＨ−ＰＵＳＣＨが構成される場合を用いて、ＵＥは、以下を使用して、タイプ２に関する電力ヘッドルームを算出することが可能となり得る。
【数２５】
0006319862.tif 000029
式中、例示的
【数２６】
0006319862.tif 000030
は、一次セルパラメータである。
【０１３１】
電力ヘッドルームは、１ｄＢずつ、範囲［４０；−２３］ｄＢ内の最も近い値に丸められてもよく、物理層によって高次層に配信される。ＵＥが、サービングセルｃに関して高次層パラメータＵｐｌｉｎｋＰｏｗｅｒＣｏｎｔｒｏｌＤｅｄｉｃａｔｅｄ−ｖ１２ｘ０を用いて構成される場合、かつサブフレームｉが、高次層パラメータｔｐｃ−ＳｕｂｆｒａｍｅＳｅｔ−ｒ１２によって示されるように、アップリンク電力制御サブフレームセット２に属する場合、ＵＥは、ｆｃ，２（ｉ）をｆｃ（ｉ）の代わりに使用して、サブフレームｉおよびサービングセルｃに関してＰＨｔｙｐｅ１，Ｃ（ｉ）およびＰＨｔｙｐｅ２，Ｃ（ｉ）を算出してもよい。
【０１３２】
図２０は、本発明の実施形態のある側面による、例示的フロー図である。無線デバイスが、２０１０において、少なくとも１つのメッセージを基地局から受信する。メッセージは、１つまたはそれを上回る二次セルの構成パラメータを含んでもよい。
【０１３３】
無線デバイスは、２０２０において、アクティブ化／非アクティブ化媒体アクセス制御制御要素（Ａ／Ｄ  ＭＡＣ  ＣＥ）を受信してもよい。１つまたはそれを上回る二次セルのうちの最大７つがそれぞれ、１〜７の値を有するセルインデックスを用いて構成される場合、Ａ／Ｄ  ＭＡＣ  ＣＥは、固定１オクテットのサイズであってもよく、Ａ／Ｄ  ＭＡＣ  ＣＥは、第１の論理チャネル識別子（ＬＣＩＤ）を含む、第１のサブヘッダによって識別されてもよい。そうでなければ、Ａ／Ｄ  ＭＡＣ  ＣＥは、４オクテットの固定サイズであってもよく、Ａ／Ｄ  ＭＡＣ  ＣＥは、第１のＬＣＩＤと異なる第２のＬＣＩＤを含む、第２のサブヘッダによって識別されてもよい。
【０１３４】
無線デバイスは、２０３０において、Ａ／Ｄ  ＭＡＣ  ＣＥに従って、１つまたはそれを上回る二次セル内の少なくとも１つの二次セルをアクティブ化および／または非アクティブ化してもよい。ある実施形態によると、Ａ／Ｄ  ＭＡＣ  ＣＥ内のビットは、対応する二次セルが構成されると、対応する二次セルのアクティブ化／非アクティブ化ステータスを示し得る。ある実施形態によると、無線デバイスは、対応する二次セルが構成されないと、Ａ／Ｄ  ＭＡＣ  ＣＥ内のビットを無視してもよい。ある実施形態によると、Ａ／Ｄ  ＭＡＣ  ＣＥ内のビットは、ビットが１に設定され、対応する二次セルが構成されると、対応する二次セルがアクティブ化されることを示し得る。ある実施形態によると、Ａ／Ｄ  ＭＡＣ  ＣＥ内のビットは、ビットがゼロに設定され、対応する二次セルが構成されると、対応する二次セルが非アクティブ化されることを示し得る。
【０１３５】
ある実施形態によると、第１のＬＣＩＤおよび第２のＬＣＩＤはそれぞれ、５ビットの長さを有してもよい。ある実施形態によると、第１のサブヘッダは、１オクテットのサイズを有し、第１のＬＣＩＤを含んでもよい。ある実施形態によると、第２のサブヘッダは、１オクテットのサイズを有し、第２のＬＣＩＤを含んでもよい。ある実施形態によると、第１のサブヘッダおよび第２のサブヘッダは、長さフィールドを含まなくてもよい。ある実施形態によると、第２のＬＣＩＤは、１つまたはそれを上回る二次セルのうちの７つを上回るものが構成されると、採用されてもよい。
【０１３６】
ある実施形態によると、無線デバイスが、２０１０において、１つまたはそれを上回る二次セルの構成パラメータを含む、少なくとも１つのメッセージを受信してもよい。無線デバイスは、２０２０において、アクティブ化／非アクティブ化媒体アクセス制御制御要素（Ａ／Ｄ  ＭＡＣ  ＣＥ）を受信してもよい。構成パラメータが第１の基準を満たす場合、Ａ／Ｄ  ＭＡＣ  ＣＥは、１オクテットの固定サイズであってもよく、Ａ／Ｄ  ＭＡＣ  ＣＥは、第１の論理チャネル識別子（ＬＣＩＤ）を含む、第１のサブヘッダによって識別されてもよい。そうでなければ、Ａ／Ｄ  ＭＡＣ  ＣＥは、４オクテットの固定サイズであってもよく、Ａ／Ｄ  ＭＡＣ  ＣＥは、第１のＬＣＩＤと異なる第２のＬＣＩＤを伴う第２のサブヘッダによって識別されてもよい。ある実施形態によると、第１のＬＣＩＤおよび第２のＬＣＩＤはそれぞれ、５ビットの長さを有してもよい。ある実施形態によると、第１のサブヘッダは、１オクテットのサイズを有し、第１のＬＣＩＤを含んでもよい。ある実施形態によると、第２のサブヘッダは、１オクテットのサイズを有し、第２のＬＣＩＤを含んでもよい。ある実施形態によると、第１のサブヘッダおよび第２のサブヘッダは、長さフィールドを含まなくてもよい。ある実施形態によると、第２のＬＣＩＤは、１つまたはそれを上回る二次セルのうちの７つを上回るものが構成されると、採用されてもよい。
【０１３７】
２０３０において、無線デバイスは、Ａ／Ｄ  ＭＡＣ  ＣＥに従って、１つまたはそれを上回る二次セル内の少なくとも１つの二次セルをアクティブ化および／または非アクティブ化してもよい。ある実施形態によると、Ａ／Ｄ  ＭＡＣ  ＣＥ内のビットは、対応する二次セルが構成されると、対応する二次セルのアクティブ化／非アクティブ化ステータスを示し得る。ある実施形態によると、無線デバイスは、対応する二次セルが構成されないと、Ａ／Ｄ  ＭＡＣ  ＣＥ内のビットを無視してもよい。ある実施形態によると、Ａ／Ｄ  ＭＡＣ  ＣＥ内のビットは、ビットが１に設定され、対応する二次セルが構成されると、対応する二次セルがアクティブ化されたことを示し得る。ある実施形態によると、Ａ／Ｄ  ＭＡＣ  ＣＥ内のビットは、ビットがゼロに設定され、対応する二次セルが構成されると、対応する二次セルが非アクティブ化されたことを示し得る。
【０１３８】
図２１は、本発明の実施形態のある側面による、例示的フロー図である。基地局は、２１１０において、少なくとも１つのメッセージを無線デバイスに伝送してもよい。メッセージは、１つまたはそれを上回る二次セルの構成パラメータを含んでもよい。
【０１３９】
２１２０において、基地局は、アクティブ化／非アクティブ化媒体アクセス制御制御要素（Ａ／Ｄ  ＭＡＣ  ＣＥ）を伝送してもよい。１つまたはそれを上回る二次セルのうちの最大７つがそれぞれ、１〜７の値を有するセルインデックスを用いて構成される場合、Ａ／Ｄ  ＭＡＣ  ＣＥは、１オクテットの固定サイズであってもよく、Ａ／Ｄ  ＭＡＣ  ＣＥは、第１の論理チャネル識別子（ＬＣＩＤ）を含む、第１のサブヘッダによって識別されてもよい。そうでなければ、Ａ／Ｄ  ＭＡＣ  ＣＥは、４オクテットの固定サイズであって、Ａ／Ｄ  ＭＡＣ  ＣＥは、第１のＬＣＩＤと異なる第２のＬＣＩＤを用いて第２のサブヘッダによって識別されてもよい。ある実施形態によると、第１のＬＣＩＤおよび第２のＬＣＩＤはそれぞれ、５ビットの長さを有してもよい。ある実施形態によると、第１のサブヘッダは、１オクテットのサイズを有してもよく、第１のＬＣＩＤを含んでもよい。ある実施形態によると、第２のサブヘッダは、１オクテットのサイズを有してもよく、第２のＬＣＩＤを含んでもよい。ある実施形態によると、第１のサブヘッダおよび第２のサブヘッダは、長さフィールドを含まなくてもよい。ある実施形態によると、第２のＬＣＩＤは、１つまたはそれを上回る二次セルのうちの７つを上回るものが構成されると、採用されてもよい。
【０１４０】
２１３０において、基地局は、Ａ／Ｄ  ＭＡＣ  ＣＥに従って、１つまたはそれを上回る二次セル内の少なくとも１つの二次セルのステータスをアクティブ化および／または非アクティブ化してもよい。ある実施形態によると、Ａ／Ｄ  ＭＡＣ  ＣＥ内のビットは、対応する二次セルが構成されると、対応する二次セルのアクティブ化／非アクティブ化ステータスを示し得る。ある実施形態によると、無線デバイスは、対応する二次セルが構成されないと、Ａ／Ｄ  ＭＡＣ  ＣＥ内のビットを無視してもよい。ある実施形態によると、Ａ／Ｄ  ＭＡＣ  ＣＥ内のビットは、ビットが１に設定され、対応する二次セルが構成されると、対応する二次セルがアクティブ化されたことを示し得る。
【０１４１】
図２２は、本発明の実施形態のある側面による、例示的フロー図である。無線デバイスは、２２１０において、少なくとも１つのメッセージを基地局から受信してもよい。メッセージは、１つまたはそれを上回る二次セルの構成パラメータを含んでもよい。ある実施形態によると、１つまたはそれを上回る二次セルは、二次物理アップリンク制御チャネル（ＰＵＣＣＨ）二次セルを含んでもよい。
【０１４２】
２２２０において、無線デバイスは、１つまたはそれを上回る経路損失基準セル上で受信された信号を採用して、１つまたはそれを上回る経路損失値を測定してもよい。２２３０において、無線デバイスは、１つまたはそれを上回る経路損失値を採用して、電力ヘッドルーム報告媒体アクセス制御制御要素（ＰＨＲ  ＭＡＣ  ＣＥ）の１つまたはそれを上回るフィールドを計算してもよい。
【０１４３】
無線デバイスは、２２４０において、ＰＨＲ  ＭＡＣ  ＣＥを伝送してもよい。ＰＨＲ  ＭＡＣ  ＣＥは、存在フィールドを含んでもよい。存在フィールドは、複数の存在ビットを含んでもよい。存在フィールドは、１つまたはそれを上回る二次セルのうちの最大７つがそれぞれ、１〜７の値を有するセルインデックスを用いて構成される場合、１オクテットの固定サイズであってもよい。存在フィールドは、１つまたはそれを上回る二次セルが、アップリンクが構成された７つを上回る二次セルを含む場合、４オクテットの固定サイズであってもよい。
【０１４４】
ある実施形態によると、ＰＨＲ  ＭＡＣ  ＣＥは、サブヘッダによって識別されてもよい。サブヘッダは、論理チャネル識別子（ＬＣＩＤ）フィールドおよび長さフィールドを含んでもよい。
【０１４５】
ある実施形態によると、存在フィールド内のビットは、１つまたはそれを上回る電力ヘッドルームフィールドが対応する二次セルに関して存在するかどうかを示し得る。ある実施形態によると、無線デバイスは、対応する二次セルが構成されないと、存在フィールド内のビットをゼロに設定してもよい。ある実施形態によると、存在フィールド内のビットは、ビットが１に設定されると、１つまたはそれを上回る電力ヘッドルームフィールドが対応する二次セルに関して存在することを示し得る。ある実施形態によると、存在ビット内のビットは、ビットがゼロに設定されると、電力ヘッドルームフィールドが対応する二次セルに関して存在しないことを示し得る。ある実施形態によると、１つまたはそれを上回るフィールドは、１つまたはそれを上回るタイプ１電力ヘッドルームフィールドおよび／または１つまたはそれを上回るタイプ２電力ヘッドルームフィールドを含んでもよい。
【０１４６】
図２３は、本発明の実施形態のある側面による、例示的フロー図である。基地局は、２３１０において、少なくとも１つのメッセージを無線デバイスに伝送してもよい。メッセージは、１つまたはそれを上回る二次セルの構成パラメータを含んでもよい。ある実施形態によると、１つまたはそれを上回る二次セルは、二次物理アップリンク制御チャネル（ＰＵＣＣＨ）二次セルを含んでもよい。
【０１４７】
２３２０において、基地局は、存在フィールドを含む、電力ヘッドルーム報告媒体アクセス制御制御要素（ＰＨＲ  ＭＡＣ  ＣＥ）を受信してもよい。存在フィールドは、複数の存在ビットを含んでもよい。存在フィールドは、１つまたはそれを上回る二次セルのうちの最大７つがそれぞれ、１〜７の値を有するセルインデックスを用いて構成される場合、１オクテットの固定サイズであってもよい。存在フィールドは、１つまたはそれを上回る二次セルが、アップリンクが構成された７つを上回る二次セルを含む場合、４オクテットの固定サイズであってもよい。ある実施形態によると、ＰＨＲ  ＭＡＣ  ＣＥは、サブヘッダによって識別されてもよい。サブヘッダは、論理チャネル識別子（ＬＣＩＤ）フィールドおよび長さフィールドを含んでもよい。ある実施形態によると、存在フィールド内のビットは、１つまたはそれを上回る電力ヘッドルームフィールドが対応する二次セルに関して存在するかどうかを示し得る。ある実施形態によると、基地局は、対応する二次セルが構成されないと、存在フィールド内のビットを無視してもよい。ある実施形態によると、存在フィールド内のビットは、ビットが１に設定されると、１つまたはそれを上回る電力ヘッドルームフィールドが対応する二次セルに関して存在することを示し得る。ある実施形態によると、存在フィールド内のビットは、ビットがゼロに設定されると、電力ヘッドルームフィールドが対応する二次セルに関して存在しないことを示し得る。ある実施形態によると、ＰＨＲ  ＭＡＣ  ＣＥは、１つまたはそれを上回るタイプ１電力ヘッドルームフィールドおよび／または１つまたはそれを上回るタイプ２電力ヘッドルームフィールドを含んでもよい。
【０１４８】
２３３０において、基地局は、少なくともＰＨＲ  ＭＡＣ  ＣＥを採用して、（ｅ）ＰＤＣＣＨ上で１つまたはそれを上回る制御コマンド（例えば、１つまたはそれを上回る電力制御コマンドを含むＤＣＩ）を無線デバイスに伝送してもよい。制御コマンドは、（ｅ）ＰＤＣＣＨ上で伝送されるダウンリンク制御情報（ＤＣＩ）を含んでもよい。ＰＨＲ  ＭＡＣ  ＣＥは、構成されたアップリンクのためのアクティブセルに関して利用可能な電力ヘッドルームについての情報を含む。これは、ｅＮＢが、ＰＨＲが計算されるサブフレーム内におけるアップリンク電力伝送のために、ＵＥがアクティブセル上で利用し得る電力の量を判定することを可能にし得る。ｅＮＢは、アップリンクスケジューリング、リソース配分、伝送フォーマット／ＭＣＳ判定、および／またはＵＥへの電力制御コマンド伝送のために、本情報を採用してもよい。
【０１４９】
例示的実施形態では、無線デバイスは、１つまたはそれを上回る二次セルの構成パラメータを含む、少なくとも１つのメッセージを受信してもよい。無線デバイスは、アクティブ化／非アクティブ化媒体アクセス制御制御要素（Ａ／Ｄ  ＭＡＣ  ＣＥ）を受信してもよい。
【０１５０】
実施例では、構成パラメータが第１の基準を満たす場合／とき、Ａ／Ｄ  ＭＡＣ  ＣＥは、第１のフォーマットであって、そうでなければ、Ａ／Ｄ  ＭＡＣ  ＣＥは、第２のフォーマットである。例えば、第１の基準は、１つまたはそれを上回る二次セルのうちの最大７つがそれぞれ、１〜７の値を有するセルインデックスを用いて構成される場合、満たされ、そうでなければ、第２の基準が、満たされる。例えば、１つまたはそれを上回る二次セルのうちの最大７つがそれぞれ、１〜７の値を有するセルインデックスを用いて構成される場合、Ａ／Ｄ  ＭＡＣ  ＣＥは、１オクテットの固定サイズであり、そうでなければ、Ａ／Ｄ  ＭＡＣ  ＣＥは、４オクテットの固定サイズである。
【０１５１】
実施例では、構成パラメータが第１の基準を満たす場合／とき、Ａ／Ｄ  ＭＡＣ  ＣＥは、第１の論理チャネル識別子（ＬＣＩＤ）を含む、第１のサブヘッダによって識別され、そうでなければ、Ａ／Ｄ  ＭＡＣ  ＣＥは、第１のＬＣＩＤと異なる第２のＬＣＩＤを用いて第２のサブヘッダによって識別される。例えば、第１の基準は、１つまたはそれを上回る二次セルのうちの最大７つがそれぞれ、１〜７の値を有するセルインデックスを用いて構成される場合、満たされ、そうでなければ、第２の基準が、満たされる。例えば、１つまたはそれを上回る二次セルのうちの最大７つがそれぞれ、１〜７の値を有するセルインデックスを用いて構成される場合、第１の論理チャネル識別子（ＬＣＩＤ）を含む、第１のサブヘッダによって識別され、そうでなければ、Ａ／Ｄ  ＭＡＣ  ＣＥは、第１のＬＣＩＤと異なる第２のＬＣＩＤを伴う第２のサブヘッダによって識別される。
【０１５２】
無線デバイスは、Ａ／Ｄ  ＭＡＣ  ＣＥに従って、１つまたはそれを上回る二次セル内の少なくとも１つの二次セルをアクティブ化または非アクティブ化してもよい。
【０１５３】
例示的実施形態では、無線デバイスは、１つまたはそれを上回る二次セルの構成パラメータを含む、少なくとも１つのメッセージを受信してもよい。無線デバイスは、ＰＨＲ  ＭＡＣ  ＣＥを伝送する。ＰＨＲ  ＭＡＣ  ＣＥは、複数の存在ビットを含む、存在フィールドを含む。存在フィールドは、構成パラメータが第１の基準を満たすと、１オクテットの固定サイズである。存在フィールドは、構成パラメータが第２の基準を満たすと、４オクテットの固定サイズである。例えば、存在フィールドは、１つまたはそれを上回る二次セルのうちの最大７つがそれぞれ、１〜７の値を有するセルインデックスを用いて構成されるとき、１オクテットの固定サイズであり、ＰＵＣＣＨ二次セルは、構成されない。実施例では、存在フィールドは、１つまたはそれを上回る二次セルが、アップリンクが構成された７つを上回る二次セルを含むとき、４オクテットの固定サイズであってもよい。実施例では、存在フィールドは、二次ＰＵＣＣＨが構成されると、４オクテットの固定サイズであってもよい。
【０１５４】
無線デバイスは、１つまたはそれを上回る経路損失基準セル上で受信された信号を採用して、１つまたはそれを上回る経路損失値を測定してもよい。無線デバイスは、１つまたはそれを上回る経路損失値を採用して、ＰＨＲ  ＭＡＣ  ＣＥの１つまたはそれを上回るフィールドを計算してもよい。基地局は、少なくともＰＨＲ  ＭＡＣ  ＣＥを採用して、１つまたはそれを上回る制御コマンドを伝送してもよい。制御コマンドは、物理ダウンリンク制御チャネル上で伝送されてもよい。
【０１５５】
キャリアアグリゲーションに関して、ＵＥのためのサービングセルの構成されたセットは、１つのＰＣｅｌｌおよび１つまたはそれを上回るＳＣｅｌｌから成ってもよい。ＤＣは、構成されない場合、１つの付加的ＰＵＣＣＨが、ＳＣｅｌｌ、すなわち、ＰＵＣＣＨ  ＳＣｅｌｌ上で構成されてもよい。ＰＵＣＣＨ  ＳＣｅｌｌが構成されると、ＲＲＣは、一次ＰＵＣＣＨグループおよび／または二次ＰＵＣＣＨグループへのサービングセルのマッピングを構成してもよい（例えば、ＳＣｅｌｌ毎に、ＰＣｅｌｌおよび／またはＰＵＣＣＨ  ＳＣｅｌｌがＡＣＫ／ＮＡＫおよび／またはＣＳＩ報告の伝送のために採用されるかどうか）。
【０１５６】
電力ヘッドルームに関して、ＵＥが、サービングセルｃに関するサブフレームｉ内でＰＵＣＣＨを伴わずにＰＵＳＣＨを伝送する場合、タイプ１報告に関する電力ヘッドルームは、以下を採用して算出されてもよい。
【数２７】
0006319862.tif 000031
【０１５７】
ｅｘｔｅｎｄｅｄＰＨＲに関して、拡張電力ヘッドルーム報告（ＰＨＲ）ＭＡＣ制御要素は、ＬＣＩＤを伴うＭＡＣ  ＰＤＵサブヘッダによって識別されてもよい。これは、可変サイズを有してもよい。タイプ２ＰＨが報告されると、タイプ２ＰＨフィールドを含有するオクテットが、最初に、ＰＨ  ｐｅｒ  ＳＣｅｌｌの存在を示すオクテット後に含まれ、その後、関連付けられたＰＣＭＡＸ，ｃフィールドを含有するオクテット（報告される場合）が続いてもよい。その後、ビットマップに示されるＰＣｅｌｌに関して、かつＳＣｅｌｌ毎に、ＳｅｒｖＣｅｌｌＩｎｄｅｘに基づく昇順において、タイプ１ＰＨフィールドを伴うオクテットおよび関連付けられたＰＣＭＡＸ，ｃフィールドを伴うオクテット（報告される場合）が続いてもよい。
【０１５８】
ｅｘｔｅｎｄｅｄＰＨＲ２に関して、拡張電力ヘッドルーム報告（ＰＨＲ）ＭＡＣ制御要素は、ＬＣＩＤを伴うＭＡＣ  ＰＤＵサブヘッダによって識別されてもよい。それらは、可変サイズを有してもよい。Ｃフィールドを伴う１オクテットは、アップリンクが構成されたＳＣｅｌｌの最高ＳＣｅｌｌＩｎｄｅｘが、８未満であるとき、ＰＨｐｅｒＳＣｅｌｌの存在を示すために採用されてもよく、そうでなければ、４オクテットが、採用されてもよい。タイプ２ＰＨが、ＰＣｅｌｌに関して報告されると、タイプ２ＰＨフィールドを含有するオクテットが、最初に、ＰＨ  ｐｅｒ  ＳＣｅｌｌの存在を示すオクテット後に含まれ、その後、関連付けられたＰＣＭＡＸ，ｃフィールドを含有するオクテット（報告される場合）が続いてもよい。ＰＵＣＣＨ  ＳＣｅｌｌに関するタイプ２ＰＨフィールドが、続き（ＳＣｅｌｌ上のＰＵＣＣＨが構成され、タイプ２ＰＨがＰＵＣＣＨ  ＳＣｅｌｌに関して報告される場合）、その後、関連付けられたＰＣＭＡＸ，ｃフィールドを含有するオクテット（報告される場合）が続いてもよい。次いで、その後、ビットマップに示されるＰＣｅｌｌに関して、かつＳＣｅｌｌ毎に、ＳｅｒｖＣｅｌｌＩｎｄｅｘに基づく昇順において、タイプ１ＰＨフィールドを伴うオクテットおよび関連付けられたＰＣＭＡＸ，ｃフィールドを伴うオクテット（報告される場合）が続いてもよい。
【０１５９】
拡張ＰＨＲ  ＭＡＣ制御要素は、以下のように定義されてもよい。Ｃｉフィールドは、ＳＣｅｌｌＩｎｄｅｘ  ｉを用いるＳＣｅｌｌに関するＰＨフィールドの存在を示し得る。「１」に設定されるＣｉフィールドは、ＳＣｅｌｌＩｎｄｅｘ  ｉを用いるＳＣｅｌｌに関するＰＨフィールドが報告されることを示し得る。「０」に設定されるＣｉフィールドは、ＳＣｅｌｌＩｎｄｅｘ  ｉを用いるＳＣｅｌｌに関するＰＨフィールドが報告されないことを示し得る。
【０１６０】
１オクテットのアクティブ化／非アクティブ化ＭＡＣ制御要素は、ＬＣＩＤを伴うＭＡＣ  ＰＤＵサブヘッダによって識別されてもよい。これは、固定サイズを有し、７つのＣ−フィールドおよび１つのＲ−フィールドを含有する単一オクテットから成ってもよい。１オクテットを伴うアクティブ化／非アクティブ化ＭＡＣ制御要素は、例えば、図１４Ａおよび図１４Ｂに示されるように定義されてもよい。４オクテットのアクティブ化／非アクティブ化ＭＡＣ制御要素は、ＬＣＩＤを伴うＭＡＣ  ＰＤＵサブヘッダによって識別されてもよい。これは、固定サイズを有してもよく、３１のＣ−フィールドおよび１つのＲ−フィールドを含有する４オクテットを含んでもよい。４オクテットのアクティブ化／非アクティブ化ＭＡＣ制御要素は、例えば、アクティブ化／非アクティブ化のＬＣＩＤ値と相関するインデックス値１１０００（４オクテット）と、アクティブ化／非アクティブ化のＬＣＩＤ値と相関するインデックス値１１０１１（１オクテット）とを用いて定義されてもよい。
【０１６１】
７より大きいＳｅｒｖＣｅｌｌＩｎｄｅｘを伴うサービングセルが存在しない場合、１オクテットのアクティブ化／非アクティブ化ＭＡＣ制御要素が、適用されてもよく、そうでなければ、４オクテットのアクティブ化／非アクティブ化ＭＡＣ制御要素が、適用されてもよい。ＳＣｅｌｌＩｎｄｅｘ  ｉを用いて構成されたＳＣｅｌｌが存在する場合、Ｃｉフィールドは、ＳＣｅｌｌＩｎｄｅｘ  ｉを伴うＳＣｅｌｌのアクティブ化／非アクティブ化ステータスを示し得、そうでなければ、ＭＡＣエンティティは、Ｃｉフィールドを無視してもよい。Ｃｉフィールドは、「１」に設定され、ＳＣｅｌｌＩｎｄｅｘ  ｉを伴うＳＣｅｌｌがアクティブ化され得ることを示してもよい。Ｃｉフィールドは、「０」に設定され、ＳＣｅｌｌＩｎｄｅｘ  ｉを伴うＳＣｅｌｌが非アクティブ化され得ることを示してもよい。Ｒは、「０」に設定され得る、反転ビットを含んでもよい。
【０１６２】
ＭＡＣエンティティが、ＴＴＩにおいてＳＣｅｌｌをアクティブ化するアクティブ化／非アクティブ化ＭＡＣ制御要素を受信する場合、ＭＡＣエンティティは、ＳＣｅｌｌをアクティブ化してもよい。ＳＣｅｌｌのアクティブ化は、構成される場合、ＳＣｅｌｌ上でのＳＲＳ伝送、ＳＣｅｌｌに関するＣＱＩ／ＰＭＩ／ＲＩ／ＰＴＩ報告、ＳＣｅｌｌ上でのＰＤＣＣＨ監視、ＳＣｅｌｌに関するＰＤＣＣＨ監視、およびＳＣｅｌｌ上でのＰＵＣＣＨ伝送を含む、通常ＳＣｅｌｌ動作を適用してもよい。ＭＡＣエンティティは、ＳＣｅｌｌと関連付けられたｓＣｅｌｌＤｅａｃｔｉｖａｔｉｏｎＴｉｍｅｒを始動および／または再始動させてもよい。ＭＡＣエンティティは、ＰＨＲをトリガしてもよい。
【０１６３】
そうでなければ、ＭＡＣエンティティが、ＴＴＩにおいてＳＣｅｌｌを非アクティブ化するアクティブ化／非アクティブ化ＭＡＣ制御要素を受信する場合、またはアクティブ化されたＳＣｅｌｌと関連付けられたｓＣｅｌｌＤｅａｃｔｉｖａｔｉｏｎＴｉｍｅｒがＴＴＩにおいてに満了する場合、ＴＴＩにおいて、ＭＡＣは、ＳＣｅｌｌを非アクティブ化する、ＳＣｅｌｌと関連付けられたｓＣｅｌｌＤｅａｃｔｉｖａｔｉｏｎＴｉｍｅｒを停止する、および／またはＳＣｅｌｌと関連付けられたＨＡＲＱバッファをフラッシュしてもよい。
【０１６４】
本明細書では、「ａ」および「ａｎ」および類似語句は、「少なくとも１つ」および「１つまたはそれを上回る」として解釈されるべきである。本明細書では、用語「ｍａｙ（〜してもよい）」は、「ｍａｙ，  ｆｏｒ  ｅｘａｍｐｌｅ（例えば、〜してもよい）」として解釈されるべきである。言い換えると、用語「ｍａｙ（〜してもよい）」は、用語「ｍａｙ（〜してもよい）」に続く語句が、種々の実施形態のうちの１つまたはそれを上回るものに採用されてもよい、またはそうではなくてもよい、多数の好適な可能性のうちの１つの実施例であることを示す。ＡおよびＢが、設定され、Ａの全要素がまた、Ｂの要素である場合、Ａは、Ｂのサブセットと呼ばれる。本明細書では、非空のセットおよびサブセットのみが、考慮される。例えば、Ｂ＝｛セル１、セル２｝の可能性として考えられるサブセットは、｛セル１｝、｛セル２｝、および｛セル１、セル２｝である。
【０１６５】
本明細書では、パラメータ（情報要素：ＩＥ）は、１つまたはそれを上回るオブジェクトを含んでもよく、それらのオブジェクトはそれぞれ、１つまたはそれを上回る他のオブジェクトを含んでもよい。例えば、パラメータ（ＩＥ）Ｎが、パラメータ（ＩＥ）Ｍを含み、パラメータ（ＩＥ）Ｍが、パラメータ（ＩＥ）Ｋを含み、パラメータ（ＩＥ）Ｋが、パラメータ（情報要素）Ｊを含む場合、例えば、Ｎは、Ｋを含み、Ｎは、Ｊを含む。例示的実施形態では、１つまたはそれを上回るメッセージが、複数のパラメータを含むとき、複数のパラメータ内のパラメータは、１つまたはそれを上回るメッセージのうちの少なくとも１つ内に存在するが、１つまたはそれを上回るメッセージのそれぞれに存在する必要はないことを含意する。
【０１６６】
開示される実施形態に説明される要素の多くは、モジュールとして実装されてもよい。モジュールは、定義された機能を行い、他の要素への定義されたインターフェースを有する、隔離可能要素として本明細書に定義される。本開示に説明されるモジュールは、ハードウェア、ハードウェア、ファームウェア、ウエットウエア（すなわち、生物学的要素を伴うハードウェア）と組み合わせたソフトウェア、またはそれらの組み合わせにおいて実装されてもよく、それらは全て、挙動的均等物である。例えば、モジュールは、ハードウェア機械（Ｃ、Ｃ＋＋、Ｆｏｒｔｒａｎ、Ｊａｖａ（登録商標）、ＢＡＳＩＣ、Ｍａｔｌａｂ、または同等物等）またはＳｉｍｕｌｉｎｋ、Ｓｔａｔｅｆｌｏｗ、ＧＮＵ  Ｏｃｔａｖｅ、もしくはＬａｂＶＩＥＷＭａｔｈＳｃｒｉｐｔ等のモデル化／シミュレーションプログラムによって実行されるように構成される、コンピュータ言語で書かれたソフトウェアルーチンとして実装されてもよい。加えて、離散もしくはプログラマブルアナログ、デジタル、および／または量子ハードウェアを組み込む物理ハードウェアを使用して、モジュールを実装することが可能であり得る。プログラマブルハードウェアの実施例として、コンピュータ、マイクロコントローラ、マイクロプロセッサ、特定用途向け集積回路（ＡＳＩＣ）、フィールドプログラマブルゲートアレイ（ＦＰＧＡ）、および複合プログラマブル論理デバイス（ＣＰＬＤ）が挙げられる。コンピュータ、マイクロコントローラ、およびマイクロプロセッサは、アセンブリ、Ｃ、Ｃ＋＋、または同等物等の言語を使用してプログラムされる。ＦＰＧＡ、ＡＳＩＣ、およびＣＰＬＤは、多くの場合、プログラマブルデバイス上のより少ない機能性を用いて内部ハードウェアモジュール間の接続を構成する、ＶＨＳＩＣハードウェア記述言語（ＶＨＤＬ）またはＶｅｒｉｌｏｇ等のハードウェア記述言語（ＨＤＬ）を使用してプログラムされる。最後に、前述の技術は、多くの場合、機能モジュールの結果を達成するために組み合わせて使用されることを強調する必要がある。
【０１６７】
本特許文書の開示は、著作権保護を受ける内容を組み込む。本所有権者は、特許文書または特許開示書のいかなる者によるにも、法律によって要求される限定された目的のために、複写物が特許商標庁の特許ファイルまたは記録として世に出現している限り異論はないが、他の場合に全ての著作権は完全に留保する。
【０１６８】
種々の実施形態が前述されたが、それらは、限定ではなく、実施例として提示されていることを理解されたい。形態および詳細における種々の変更が、精神および範囲から逸脱することなく、本明細書に成されることができることは、当業者に明白となるであろう。実際、前述の説明を熟読後、代替実施形態を実装する方法が、当業者に明白となるであろう。したがって、本実施形態は、前述の例示的実施形態のいずれによっても限定されない。特に、例示的目的のために、前述の説明は、ＦＤＤ通信システムを使用する実施例に焦点を当てていることに留意されたい。しかしながら、当業者は、本発明の実施形態がまた、１つまたはそれを上回るＴＤＤセルを備えるシステム内にも実装されてもよいことを認識するであろう（例えば、フレーム構造２および／またはフレーム構造３認可支援アクセス）。開示される方法およびシステムは、無線または有線システム内に実装されてもよい。本発明に提示される種々の実施形態の特徴は、組み合わせられてもよい。一実施形態の１つまたは多くの特徴（方法またはシステム）は、他の実施形態内に実装されてもよい。限定数の例示的組み合わせのみ、強化伝送および受信システムならびに方法をもたらすために種々の実施形態内で組み合わせられ得る特徴の可能性を当業者に示すために示される。
【０１６９】
加えて、機能性および利点を強調している任意の図は、単に例示目的で提示されていることを理解されたい。開示されるアーキテクチャは、示されるものと以外の方法で利用され得るように、十分に柔軟性があって、かつ構成可能である。例えば、任意のフロー図に列挙されるアクションは、いくつかの実施形態では、並べ替えられる、または随意にのみ使用されてもよい。
【０１７０】
さらに、本開示の要約の目的は、米国特許商標庁および一般公衆、特に、特許または法律の用語もしくは表現に精通していない科学者、技術者、および実践者が、本願の技術的開示の性質および本質を大まかに調べることによって、素早く判断できるようにするものである。本開示の要約は、本発明の範囲をいかようにも限定することを意図するものではない。
【０１７１】
最後に、請求項のみが、米国特許法（３５Ｕ．Ｓ．Ｃ）第１１２条第６段落の下で解釈される「〜するための手段（ｍｅａｎｓ  ｆｏｒ）」または「〜するためのステップ（ｓｔｅｐ  ｆｏｒ）」という表現用語を含んでいるのは、本出願人の意図である。「〜するための手段（ｍｅａｎｓ  ｆｏｒ）」または「〜するためのステップ（ｓｔｅｐ  ｆｏｒ）」という語句を明示的に含んでいない請求項は、米国特許法（３５Ｕ．Ｓ．Ｃ）第１１２条の下で解釈するべきではない。
【要約】
無線デバイスにより、１つまたはそれを上回る二次セルの構成パラメータを含む少なくとも１つのメッセージを受信することと、アクティブ化／非アクティブ化媒体アクセス制御制御要素（Ａ／Ｄ  ＭＡＣ  ＣＥ）を受信することであって、１つまたはそれを上回る二次セルのうち最大７つがそれぞれ１〜７の値を有するセルインデックスを用いて構成される場合、Ａ／Ｄ  ＭＡＣ  ＣＥは１オクテットの固定サイズであり、Ａ／Ｄ  ＭＡＣ  ＣＥは第１の論理チャネル識別子（ＬＣＩＤ）を含む第１サブヘッダにより識別され、そうでなければ、Ａ／Ｄ  ＭＡＣ  ＣＥは４オクテットの固定サイズであり、Ａ／Ｄ  ＭＡＣ  ＣＥは第１ＬＣＩＤと異なる第２ＬＣＩＤを含む第１サブヘッダによって識別される、ことと、Ａ／Ｄ  ＭＡＣ  ＣＥに従って１つまたはそれを上回る二次セル内の少なくとも１つの二次セルをアクティブ化または非アクティブ化することとを含む、方法。【図１】
0006319862.tif 000032
【図２】
0006319862.tif 000033
【図３】
0006319862.tif 000034
【図４】
0006319862.tif 000035
【図５】
0006319862.tif 000036
【図６】
0006319862.tif 000037
【図７】
0006319862.tif 000038
【図８】
0006319862.tif 000039
【図９】
0006319862.tif 000040
【図１０】
0006319862.tif 000041
【図１１】
0006319862.tif 000042
【図１２】
0006319862.tif 000043
【図１３】
0006319862.tif 000044
【図１４】
0006319862.tif 000045
【図１５】
0006319862.tif 000046
【図１６】
0006319862.tif 000047
【図１７】
0006319862.tif 000048
【図１８】
0006319862.tif 000049
【図１９】
0006319862.tif 000050
【図２０】
0006319862.tif 000051
【図２１】
0006319862.tif 000052
【図２２】
0006319862.tif 000053
【図２３】
0006319862.tif 000054